(57)【要約】【課題】携帯電話ユーザにとってＷｅｂサイトへの接続を容易とするとともに、Ｗｅｂサイトへの接続が容易となることによって、Ｗｅｂサイトへのアクセス件数の増加を期待できる装置や方法を提供する。【解決手段】接続支援サーバには、画像データの特徴量と該特徴量に対応するＵＲＬの対応を示す検出用テーブルが記憶されていて、携帯電話において、会社のロゴマーク等の文字や図形を撮影して（Ｓ１０）その画像データの特徴量を算出（Ｓ１１）したら、その特徴量のデータを接続支援サーバに送る（Ｓ１２）。すると、接続支援サーバでは、検出用テーブルにより、特徴量に対応するＵＬＲを検出し（Ｓ２１）、検出したＵＲＬのデータを携帯電話に送る（Ｓ２３）。すると、携帯電話では、このＵＬＲのデータに従ってＷｅｂサイトに接続する（Ｓ１４）。【選択図】        図８
2004227258.tif 000002
【特許請求の範囲】
【請求項１】
サーバコンピュータであって、
画像の特徴量と、該特徴量に対応する特定情報であってＷｅｂサーバを特定するための情報である特定情報とを記憶する記憶テーブルを有する記憶手段と、
特徴量のデータの送信元から送信された特徴量のデータを受信する受信手段と、
該記憶テーブルにより、受信した特徴量のデータに対応する特定情報を検出する検出手段と、
該検出手段により検出された特定情報のデータを該送信元に送信する送信手段と、
を有することを特徴とするサーバコンピュータ。
【請求項２】
サーバコンピュータであって、
画像の特徴量と、該特徴量に対応する特定情報であってＷｅｂサーバを特定するための情報である特定情報とを記憶する記憶テーブルを有する記憶手段と、
画像データの送信元から送信された画像データを受信する受信手段と、
該受信手段により受信した画像データの特徴量を算出する特徴量算出手段と、
該記憶テーブルにより、該特徴量算出手段により算出された特徴量のデータに対応する特定情報を検出する検出手段と、
該検出手段により検出された特定情報のデータを該送信元に送信する送信手段と、
を有することを特徴とするサーバコンピュータ。
【請求項３】
上記記憶テーブルに記憶されている画像の特徴量は、文字及び／又は図形を画像認識することにより得られる特徴量であり、該特徴量に対応する特定情報は、該文字及び／又は図形と関連するＷｅｂサーバを特定するための情報であることを特徴とする請求項１又は２に記載のサーバコンピュータ。
【請求項４】
上記特定情報が、インターネットにおけるＵＲＬであることを特徴とする請求項１又は２又は３に記載のサーバコンピュータ。
【請求項５】
携帯電話装置であって、
被写体を撮影して画像データを得る撮影手段と、
該撮影手段により得られた画像データの特徴量を算出する特徴量算出手段と、
該特徴量算出手段により算出された特徴量のデータを、サーバコンピュータであって、該特徴量に対応する特定情報であってＷｅｂサーバを特定するための情報である特定情報を検出するためのサーバコンピュータに送信する送信手段と、
該サーバコンピュータから送信された該特定情報を受信する受信手段と、
該受信手段により受信された特定情報に基づき、所定のＷｅｂサーバに接続する接続手段と、
を有することを特徴とする携帯電話装置。
【請求項６】
携帯電話装置であって、
被写体を撮影して画像データを得る撮影手段と、
該撮影手段により得られた画像データを、サーバコンピュータであって、該画像データの特徴量を算出するとともに、該特徴量に対応する特定情報であってＷｅｂサーバを特定するための情報である特定情報を検出するためのサーバコンピュータに送信する送信手段と、
該サーバコンピュータから送信された該特定情報を受信する受信手段と、
該受信手段により受信された特定情報に基づき、所定のＷｅｂサーバに接続する接続手段と、
を有することを特徴とする携帯電話装置。
【請求項７】
携帯電話装置であって、
画像の特徴量と、該特徴量に対応する特定情報であってＷｅｂサーバを特定するための情報である特定情報とを記憶する記憶テーブルを有する記憶手段と、
被写体を撮影して画像データを得る撮影手段と、
該撮影手段により得られた画像データの特徴量を算出する特徴量算出手段と、
該記憶テーブルにより、該特徴量算出手段により算出された特徴量のデータに対応する特定情報を検出する検出手段と、
該検出手段により検出された特定情報に基づき、所定のＷｅｂサーバに接続する接続手段と、
を有することを特徴とする携帯電話装置。
【請求項８】
上記記憶テーブルに記憶されている画像の特徴量は、文字及び／又は図形を画像認識することにより得られる特徴量であり、該特徴量に対応する特定情報は、該文字及び／又は図形と関連するＷｅｂサーバを特定するための情報であることを特徴とする請求項７に記載の携帯電話装置。
【請求項９】
上記特定情報が、インターネットにおけるＵＲＬであることを特徴とする請求項５又は６又は７又は８に記載の携帯電話装置。
【請求項１０】
Ｗｅｂサーバへの接続を行なうサーバ接続システムであって、
携帯電話装置であって、
被写体を撮影して画像データを得る撮影手段と、
該撮影手段により得られた画像データの特徴量を算出する特徴量算出手段と、
該特徴量算出手段により算出された特徴量のデータを、サーバコンピュータであって、該特徴量に対応する特定情報であってＷｅｂサーバを特定するための情報である特定情報を検出するためのサーバコンピュータに送信する送信手段と、
該サーバコンピュータから送信された該特定情報を受信する受信手段と、
該受信手段により受信された特定情報に基づき、所定のＷｅｂサーバに接続する接続手段と、
を有する携帯電話装置と、
サーバコンピュータであって、
画像の特徴量と、該特徴量に対応する特定情報であってＷｅｂサーバを特定するための情報である特定情報とを記憶する記憶テーブルを有する記憶手段と、
該携帯電話装置から送信された特徴量のデータを受信する受信手段と、
該記憶テーブルにより、受信した特徴量のデータに対応する特定情報を検出する検出手段と、
該検出手段により検出された特定情報のデータを該携帯電話装置に送信する送信手段と、
を有するサーバコンピュータと、
を有することを特徴とするサーバ接続システム。
【請求項１１】
Ｗｅｂサーバへの接続を行なうサーバ接続システムであって、
携帯電話装置であって、
被写体を撮影して画像データを得る撮影手段と、
該撮影手段により得られた画像データを、サーバコンピュータであって、該画像データの特徴量を算出するとともに、該特徴量に対応する特定情報であってＷｅｂサーバを特定するための情報である特定情報を検出するためのサーバコンピュータに送信する送信手段と、
該サーバコンピュータから送信された該特定情報を受信する受信手段と、
該受信手段により受信された特定情報に基づき、所定のＷｅｂサーバに接続する接続手段と、
を有する携帯電話装置と、
サーバコンピュータであって、
画像の特徴量と、該特徴量に対応する特定情報であってＷｅｂサーバを特定するための情報である特定情報とを記憶する記憶テーブルを有する記憶手段と、
該携帯電話装置から送信された画像データの特徴量を算出する特徴量算出手段と、
該記憶テーブルにより、該特徴量算出手段により算出された特徴量のデータに対応する特定情報を検出する検出手段と、
該検出手段により検出された特定情報のデータを該携帯電話装置に送信する送信手段と、
を有するサーバコンピュータと、
を有することを特徴とするサーバ接続システム。
【請求項１２】
上記記憶テーブルに記憶されている画像の特徴量は、文字及び／又は図形を画像認識することにより得られる特徴量であり、該特徴量に対応する特定情報は、該文字及び／又は図形と関連するＷｅｂサーバを特定するための情報であることを特徴とする請求項１０又は１１に記載のサーバ接続システム。
【請求項１３】
上記特定情報が、インターネットにおけるＵＲＬであることを特徴とする請求項１０又は１１又は１２に記載のサーバ接続システム。
【請求項１４】
サーバコンピュータによりＷｅｂサーバへの接続支援を行なうサーバ接続支援方法であって、
特徴量のデータの送信元から送信された特徴量のデータを受信する受信工程と、
画像の特徴量と、該特徴量に対応する特定情報であってＷｅｂサーバを特定するための情報である特定情報とを記憶する記憶テーブルにより、受信した特徴量のデータに対応する特定情報を検出する検出工程と、
該検出工程により検出された該特定情報のデータを該送信元に送信する送信工程と、
を有することを特徴とするサーバ接続支援方法。
【請求項１５】
サーバコンピュータによりＷｅｂサーバへの接続支援を行なうサーバ接続支援方法であって、
画像データの送信元から送信された画像データを受信する受信工程と、
該受信工程により受信された画像データの特徴量を算出する特徴量算出工程と、
画像の特徴量と、該特徴量に対応する特定情報であってＷｅｂサーバを特定するための情報である特定情報とを記憶する記憶テーブルにより、該特徴量算出工程により算出された特徴量のデータに対応する特定情報を検出する検出工程と、
該検出工程により検出された該特定情報のデータを該送信元に送信する送信工程と、
を有することを特徴とするサーバ接続支援方法。
【請求項１６】
上記記憶テーブルに記憶されている画像の特徴量は、文字及び／又は図形を画像認識することにより得られる特徴量であり、該特徴量に対応する特定情報は、該文字及び／又は図形と関連するＷｅｂサーバを特定するための情報であることを特徴とする請求項１４又は１５に記載のサーバ接続支援方法。
【請求項１７】
上記特定情報が、インターネットにおけるＵＲＬであることを特徴とする請求項１４又は１５又は１６に記載のサーバ接続支援方法。
【請求項１８】
撮影機能を有する携帯電話装置によりＷｅｂサーバに接続を行うサーバ接続方法であって、
被写体を撮影して画像データを得る撮影工程と、
該撮影工程により得られた画像データの特徴量を算出する特徴量算出工程と、
該特徴量算出工程により算出された特徴量のデータを、サーバコンピュータであって、該特徴量に対応する特定情報であってＷｅｂサーバを特定するための情報である特定情報を検出するためのサーバコンピュータに送信する送信工程と、
該サーバコンピュータから送信された該特定情報を受信する受信工程と、
該受信工程により受信された特定情報に基づき、所定のＷｅｂサーバに接続する接続工程と、
を有することを特徴とするサーバ接続方法。
【請求項１９】
撮影機能を有する携帯電話装置によりＷｅｂサーバに接続を行うサーバ接続方法であって、
被写体を撮影して画像データを得る撮影工程と、
該撮影工程により得られた画像データを、サーバコンピュータであって、該画像データの特徴量を算出するとともに、該特徴量に対応する特定情報であってＷｅｂサーバを特定するための情報である特定情報を検出するためのサーバコンピュータに送信する送信工程と、
該サーバコンピュータから送信された該特定情報を受信する受信工程と、
該受信工程により受信された特定情報に基づき、所定のＷｅｂサーバに接続する接続工程と、
を有することを特徴とするサーバ接続方法。
【請求項２０】
携帯電話装置によりＷｅｂサーバに接続を行うサーバ接続方法であって、
被写体を撮影して画像データを得る撮影工程と、
該撮影工程により得られた画像データの特徴量を算出する特徴量算出工程と、
画像の特徴量と、該特徴量に対応する特定情報であってＷｅｂサーバを特定するための情報である特定情報とを記憶する記憶テーブルにより、該特徴量算出工程により算出された特徴量のデータに対応する特定情報を検出する検出工程と、
該検出工程により検出された特定情報に基づき、所定のＷｅｂサーバに接続する接続工程と、
を有することを特徴とするサーバ接続方法。
【請求項２１】
Ｗｅｂサーバへの接続を行なうサーバ接続方法であって、
撮影機能を有する携帯電話装置により、
被写体を撮影して画像データを得る撮影工程と、
該撮影工程により得られた画像データの特徴量を算出する特徴量算出工程と、
該特徴量算出工程により算出された特徴量のデータを、サーバコンピュータであって、該特徴量に対応する特定情報であってＷｅｂサーバを特定するための情報である特定情報を検出するためのサーバコンピュータに送信する送信工程と、を行い、
サーバコンピュータにより、
該携帯電話装置から送信された特徴量のデータを受信する受信工程と、
画像の特徴量と、該特徴量に対応する特定情報であってＷｅｂサーバを特定するための情報である特定情報とを記憶する記憶テーブルにより、受信した特徴量のデータに対応する特定情報を検出する検出工程と、
該検出工程により検出された該特定情報のデータを該携帯電話装置に送信する送信工程と、を行い、
該携帯電話装置により、
該サーバコンピュータから送信された該特定情報を受信する受信工程と、
該受信工程により受信された特定情報に基づき、所定のＷｅｂサーバに接続する接続工程と、を行なう
ことを特徴とするサーバ接続方法。
【請求項２２】
Ｗｅｂサーバへの接続を行なうサーバ接続方法であって、
撮影機能を有する携帯電話装置により、
被写体を撮影して画像データを得る撮影工程と、
該撮影工程により得られた画像データを、サーバコンピュータであって、該画像データの特徴量を算出するとともに、該特徴量に対応する特定情報であってＷｅｂサーバを特定するための情報である特定情報を検出するためのサーバコンピュータに送信する送信工程と、を行い、
サーバコンピュータにより、
該携帯電話装置から送信された画像データを受信する受信工程と、
該受信工程により受信された画像データの特徴量を算出する特徴量算出工程と、
画像の特徴量と、該特徴量に対応する特定情報であってＷｅｂサーバを特定するための情報である特定情報とを記憶する記憶テーブルにより、算出した特徴量のデータに対応する特定情報を検出する検出工程と、
該検出工程により検出された該特定情報のデータを該携帯電話装置に送信する送信工程と、を行い、
該携帯電話装置により、
該サーバコンピュータから送信された該特定情報を受信する受信工程と、
該受信工程により受信された特定情報に基づき、所定のＷｅｂサーバに接続する接続工程と、を行なう
ことを特徴とするサーバ接続方法。
【請求項２３】
Ｗｅｂサーバへの接続を行なうサーバ接続方法であって、
被写体を撮影して画像データを得る撮影工程と、
該撮影工程により得られた画像データの特徴量を算出する特徴量算出工程と、
画像の特徴量と、該特徴量に対応する特定情報であってＷｅｂサーバを特定するための情報である特定情報とを記憶する記憶テーブルにより、該特徴量算出工程により算出された特徴量のデータに対応する特定情報を検出する検出工程と、
該検出工程により検出された特定情報に基づき、所定のＷｅｂサーバに接続する接続工程と、
を有することを特徴とするサーバ接続方法。
【請求項２４】
上記記憶テーブルに記憶されている画像の特徴量は、文字及び／又は図形を画像認識することにより得られる特徴量であり、該特徴量に対応する特定情報は、該文字及び／又は図形と関連するＷｅｂサーバを特定するための情報であることを特徴とする請求項２０又は２１又は２２又は２３に記載のサーバ接続方法。
【請求項２５】
上記特定情報が、インターネットにおけるＵＲＬであることを特徴とする請求項１８又は１９又は２０又は２１又は２２又は２３又は２４に記載のサーバ接続方法。
【請求項２６】
Ｗｅｂサーバへの接続を行なうためのサーバ接続プログラムであって、
被写体を撮影して得た画像データの特徴量を算出する特徴量算出処理と、
該特徴量算出処理により算出された特徴量のデータを該通信装置により、サーバコンピュータであって、該特徴量に対応する特定情報であってＷｅｂサーバを特定するための情報である特定情報を検出するためのサーバコンピュータに送信する送信処理と、
該サーバコンピュータから送信された特定情報を該通信装置により受信する受信処理と、を実行することを特徴とするサーバ接続プログラム。
【請求項２７】
Ｗｅｂサーバへの接続を行なうためのサーバ接続プログラムであって、
被写体を撮影して得た画像データを、サーバコンピュータであって、該画像データの特徴量を算出するとともに、該特徴量に対応する特定情報であってＷｅｂサーバを特定するための情報である特定情報を検出するためのサーバコンピュータに送信する送信処理と、
該サーバコンピュータから送信された該特定情報を受信する受信処理と、を実行することを特徴とするサーバ接続プログラム。
【請求項２８】
Ｗｅｂサーバへの接続を行なうためのサーバ接続プログラムであって、
被写体を撮影して得た画像データの特徴量を算出する特徴量算出処理と、
画像の特徴量と、該特徴量に対応する特定情報であってＷｅｂサーバを特定するための情報である特定情報とを記憶する記憶テーブルにより、該特徴量算出処理により算出された特徴量のデータに対応する特定情報を検出する検出処理と、を実行することを特徴とするサーバ接続プログラム。
【請求項２９】
上記サーバ接続プログラムが、さらに、特定情報に基づき、所定のＷｅｂサーバに接続するための処理であって、少なくともＷｅｂブラウザの機能を有するプログラムに該所定のＷｅｂサーバへの接続を指示する処理を実行することを特徴とする請求項２６又は２７又は２８に記載のサーバ接続プログラム。
【請求項３０】
サーバコンピュータであって、
上記請求項２６又は２７又は２８又は２９に記載のサーバ接続プログラムのデータを記憶する記憶手段と、
該サーバコンピュータに電気通信回線網を介して接続された端末から、該サーバ接続プログラムのデータの送信依頼を受信した場合に、該端末に該サーバ接続プログラムのデータを送信する送信手段と、
を有することを特徴とするサーバコンピュータ。
【請求項３１】
サーバコンピュータであって、
上記請求項２９に記載のサーバ接続プログラムのデータと、画像の特徴量と、該特徴量に対応する特定情報であってＷｅｂサーバを特定するための情報である特定情報とを記憶する記憶テーブルのデータを記憶する記憶手段と、
該サーバコンピュータに電気通信回線網を介して接続された端末から、該サーバ接続プログラムのデータと記憶テーブルのデータの送信依頼を受信した場合に、該端末に該サーバ接続プログラムのデータと記憶テーブルのデータとを送信する送信手段と、
を有することを特徴とするサーバコンピュータ。
【発明の詳細な説明】
【０００１】
【発明の属する技術分野】
本発明は、Ｗｅｂサーバ（「Ｗｅｂサーバー」としてもよい。以下同じ）に接続を行うためのシステムに関するものであり、特に、携帯電話によりＷｅｂサーバにアクセスする場合のシステムと該システムを構成する装置等に関するものである。
【０００２】
【従来の技術】
従来携帯電話によりＷｅｂサイトにアクセスする場合には、携帯電話にアクセスしようとするＷｅｂサイトのＵＲＬを入力したり、予め携帯電話に登録してあるＵＲＬを選択したりして行い、ＵＲＬが不明な場合には、検索を行うためのサイトに接続した上で、該サイトで検索されたＷｅｂサイトのうちから選択するのが一般的である。
【０００３】
なお、出願人は、先行技術文献の調査は行っておらず、記載すべき先行技術文献は存在しない。
【０００４】
【発明が解決しようとする課題】
しかし、上記従来の場合には、ＵＲＬが不明な場合には、検索を行うためのサイトに接続して検索を行わなけれならず、携帯電話のユーザにとって面倒であった。
【０００５】
一方、Ｗｅｂサイト側にとっては、Ｗｅｂサイトへのアクセス件数が増加することが望まれている。例えば、ある商品やサービスの広告を行うサイトの場合には、そのサイトへのアクセス件数が増加することにより、その分広告効果を高めることが可能となる。
【０００６】
そこで、携帯電話ユーザにとってＷｅｂサイトへの接続を容易とするとともに、Ｗｅｂサイトへの接続が容易となることによって、Ｗｅｂサイトへのアクセス件数の増加を期待できる装置や方法を提供することを目的とするものである。
【０００７】
【課題を解決するための手段】
本発明は上記問題点を解決するために創作されたものであって、第１には、サーバコンピュータであって、画像の特徴量と、該特徴量に対応する特定情報であってＷｅｂサーバを特定するための情報である特定情報とを記憶する記憶テーブルを有する記憶手段と、特徴量のデータの送信元から送信された特徴量のデータを受信する受信手段と、該記憶テーブルにより、受信した特徴量のデータに対応する特定情報を検出する検出手段と、該検出手段により検出された該特定情報のデータを該送信元に送信する送信手段と、を有することを特徴とする。
【０００８】
この第１の構成のサーバコンピュータにおいては、受信手段が特徴量のデータの送信元から送信された特徴量のデータを受信すると、検出手段が該記憶テーブルにより、受信した特徴量のデータに対応する特定情報を検出する。そして、送信手段が、特定情報のデータを送信元に送信する。よって、上記記憶テーブルに記憶されている画像の特徴量として例えば会社名や会社のロゴマーク等の文字や図形を画像認識した結果の特徴量を記憶しておき、該特定情報として、その会社のＷｅｂサイトのＵＲＬを記憶しておき、カメラ付きの携帯電話装置により会社の会社名等の文字や図形を撮影して、該携帯電話装置において撮影した画像の特徴量を算出し、その特徴量のデータをサーバコンピュータに送ることにより、上記のような処理を経てサーバコンピュータから特定情報のデータを携帯電話装置に送ることができるので、携帯電話装置ではその特定情報を用いてＷｅｂサイトに接続することが可能となる。よって、携帯電話装置において、文字や図形等を撮影するのみでその文字や図形に関連するＷｅｂサイトにアクセスすることが可能となる。
【０００９】
なお、上記第１の構成については、以下の構成としてもよい。すなわち、「サーバコンピュータであって、電気通信回線網と接続された通信装置と、画像の特徴量と、該特徴量に対応する特定情報であってＷｅｂサーバを特定するための情報である特定情報とを記憶する記憶テーブルを有する記憶装置と、制御装置であって、特徴量のデータの送信元から送信された特徴量のデータを該通信装置により受信する受信処理と、該受信処理により受信した特徴量のデータに対応する特定情報を該記憶テーブルにより検出する検出処理と、該検出処理により特徴量のデータに対応する特定情報が検出された場合に、該特定情報のデータを該送信元に該通信装置により送信する送信処理と、を実行する制御装置と、を有することを特徴とするサーバコンピュータ。」としてもよい。
【００１０】
また、第２には、サーバコンピュータであって、画像の特徴量と、該特徴量に対応する特定情報であってＷｅｂサーバを特定するための情報である特定情報とを記憶する記憶テーブルを有する記憶手段と、画像データの送信元から送信された画像データを受信する受信手段と、該受信手段により受信した画像データの特徴量を算出する特徴量算出手段と、該記憶テーブルにより、該特徴量算出手段により算出された特徴量のデータに対応する特定情報を検出する検出手段と、該検出手段により検出された特定情報のデータを該送信元に送信する送信手段と、を有することを特徴とする。
【００１１】
この第２の構成のサーバコンピュータにおいては、受信手段が画像データの送信元から送信された画像データを受信すると、特徴量算出手段が該受信手段により受信した画像データの特徴量を算出する。そして、検出手段が該記憶テーブルにより、算出された特徴量のデータに対応する特定情報を検出する。そして、送信手段が、特定情報のデータを送信元に送信する。よって、上記記憶テーブルに記憶されている画像の特徴量として例えば会社名や会社のロゴマークを画像認識した結果の特徴量を記憶しておき、該特定情報として、その会社のＷｅｂサイトのＵＲＬを記憶しておき、カメラ付きの携帯電話により会社の会社名等を撮影して、撮影して得た画像データをサーバコンピュータに送ることにより、上記のような処理を経てサーバコンピュータから特定情報のデータを携帯電話装置に送ることができるので、携帯電話装置ではその特定情報を用いてＷｅｂサイトに接続することが可能となる。よって、携帯電話装置において、文字や図形等を撮影するのみでその文字や図形に関連するＷｅｂサイトにアクセスすることが可能となる。
【００１２】
なお、上記第２の構成については、以下の構成としてもよい。すなわち、「サーバコンピュータであって、電気通信回線網と接続された通信装置と、画像の特徴量と、該特徴量に対応する特定情報であってＷｅｂサーバを特定するための情報である特定情報とを記憶する記憶テーブルを有する記憶装置と、制御装置であって、画像データの送信元から送信された画像データを該通信装置により受信する受信処理と、該受信処理により受信した画像データの特徴量を算出する特徴量算出処理と、該特徴量算出処理により算出された特徴量のデータに対応する特定情報を該記憶テーブルにより検出する検出処理と、該検出処理により特徴量のデータに対応する特定情報が検出された場合に、該特定情報のデータを該送信元に該通信装置により送信する送信処理と、を実行する制御装置と、を有することを特徴とするサーバコンピュータ。」としてもよい。
【００１３】
また、第３には、上記第１又は第２の構成において、上記記憶テーブルに記憶されている画像の特徴量は、文字及び／又は図形を画像認識することにより得られる特徴量であり、該特徴量に対応する特定情報は、該文字及び／又は図形と関連するＷｅｂサーバを特定するための情報であることを特徴とする。
【００１４】
また、第４には上記第１から第３までのいずれかの構成において、上記特定情報が、インターネットにおけるＵＲＬであることを特徴とする。
【００１５】
なお、上記第１から第４までの構成において、受信手段が受信してから送信手段が送信するまでの間、受信手段により受信を行うために接続された回線をそのまま接続しておいてもよいし、受信手段による受信が完了した場合に一旦回線を切断し送信手段が送信を行う際に再度送信元に対して回線を接続するようにしてもよい。なお、一旦回線を切断しその後回線を接続する場合には、送信元の宛先（例えば、電話番号）を取得しておく必要がある。
【００１６】
また、第５には、携帯電話装置であって、被写体を撮影して画像データを得る撮影手段と、該撮影手段により得られた画像データの特徴量を算出する特徴量算出手段と、該特徴量算出手段により算出された特徴量のデータを、サーバコンピュータであって、該特徴量に対応する特定情報であってＷｅｂサーバを特定するための情報である特定情報を検出するためのサーバコンピュータに送信する送信手段と、該サーバコンピュータから送信された該特定情報を受信する受信手段と、該受信手段により受信された特定情報に基づき、所定のＷｅｂサーバに接続する接続手段と、を有することを特徴とする。
【００１７】
この第５の構成の携帯電話装置においては、撮影手段が、被写体を撮影して画像データを得ると、特徴量算出手段が、該撮影手段により得られた画像データの特徴量を算出する。そして、送信手段が該特徴量算出手段により算出された特徴量のデータを、サーバコンピュータであって、該特徴量に対応する特定情報であってＷｅｂサーバを特定するための情報である特定情報を検出するためのサーバコンピュータに送信する。そして、サーバコンピュータにおいて、該特徴量に対応する特定情報であってＷｅｂサーバを特定するための情報である特定情報が検出されて該特定情報のデータが携帯電話装置に送られたら、受信手段が該特定情報のデータを受信し、接続手段がその特定情報に基づき所定のＷｅｂサーバに接続を行う。よって、サーバコンピュータにおいて、画像の特徴量として例えば会社名や会社のロゴマーク等の文字や図形を画像認識した結果の特徴量を記憶しておき、該特定情報として、その会社のＷｅｂサイトのＵＲＬを記憶しておき、特徴量に対応する特定情報を検出するようにしておくことにより、携帯電話装置において、文字や図形等を撮影するのみでその文字や図形に関連するＷｅｂサイトにアクセスすることが可能となる。
【００１８】
なお、上記第５の構成については、以下の構成としてもよい。すなわち、「携帯電話装置であって、被写体を撮影して画像データを得るための撮影装置と、通信を行うための通信装置と、制御装置であって、該撮影装置により被写体を撮影して画像データを得る撮影処理と、該撮影処理により得た画像データの特徴量を算出する特徴量算出処理と、該特徴量算出処理により算出された特徴量のデータを該通信装置により、サーバコンピュータであって、該特徴量に対応する特定情報であってＷｅｂサーバを特定するための情報である特定情報を検出するためのサーバコンピュータに送信する送信処理と、該サーバコンピュータから送信された特定情報を該通信装置により受信する受信処理と、該受信処理により受信された特定情報に基づき、所定のＷｅｂサーバに接続する接続処理と、を実行する制御装置と、を有することを特徴とする携帯電話装置。」としてもよい。
【００１９】
また、第６には、携帯電話装置であって、被写体を撮影して画像データを得る撮影手段と、該撮影手段により得られた画像データを、サーバコンピュータであって、該画像データの特徴量を算出するとともに、該特徴量に対応する特定情報であってＷｅｂサーバを特定するための情報である特定情報を検出するためのサーバコンピュータに送信する送信手段と、該サーバコンピュータから送信された該特定情報を受信する受信手段と、該受信手段により受信された特定情報に基づき、所定のＷｅｂサーバに接続する接続手段と、を有することを特徴とする。
【００２０】
この第６の構成の携帯電話装置においては、撮影手段が、被写体を撮影して画像データを得ると、送信手段が画像データを、サーバコンピュータであって、該画像データの特徴量を算出するとともに、該特徴量に対応する特定情報であってＷｅｂサーバを特定するための情報である特定情報を検出するためのサーバコンピュータに送信する。そして、サーバコンピュータにおいて、該画像データの特徴量が算出され、さらに、該特徴量に対応する特定情報であってＷｅｂサーバを特定するための情報である特定情報が検出されて該特定情報のデータが携帯電話装置に送られたら、受信手段が該特定情報のデータを受信し、接続手段がその特定情報に基づき所定のＷｅｂサーバに接続を行う。よって、サーバコンピュータにおいて、画像の特徴量として例えば会社名や会社のロゴマーク等の文字や図形を画像認識した結果の特徴量を記憶しておき、該特定情報として、その会社のＷｅｂサイトのＵＲＬを記憶しておき、画像データの特徴量を算出するとともに、特徴量に対応する特定情報を検出するようにしておくことにより、携帯電話装置において、文字や図形等を撮影するのみでその文字や図形に関連するＷｅｂサイトにアクセスすることが可能となる。
【００２１】
なお、上記第６の構成については、以下の構成としてもよい。すなわち、「携帯電話装置であって、被写体を撮影して画像データを得るための撮影装置と、通信を行うための通信装置と、制御装置であって、該撮影装置により被写体を撮影して画像データを得る撮影処理と、該撮影処理により得た画像データを該通信装置により、サーバコンピュータであって、画像データの特徴量を算出するとともに、該特徴量に対応する特定情報であってＷｅｂサーバを特定するための情報である特定情報を検出するためのサーバコンピュータに送信する送信処理と、該サーバコンピュータから送信された特定情報を該通信装置により受信する受信処理と、該受信処理により受信された特定情報に基づき、所定のＷｅｂサーバに接続する接続処理と、を実行する制御装置と、を有することを特徴とする携帯電話装置。」としてもよい。
【００２２】
また、第７には、携帯電話装置であって、画像の特徴量と、該特徴量に対応する特定情報であってＷｅｂサーバを特定するための情報である特定情報とを記憶する記憶テーブルを有する記憶手段と、被写体を撮影して画像データを得る撮影手段と、該撮影手段により得られた画像データの特徴量を算出する特徴量算出手段と、該記憶テーブルにより、該特徴量算出手段により算出された特徴量のデータに対応する特定情報を検出する検出手段と、該検出手段により検出された特定情報に基づき、所定のＷｅｂサーバに接続する接続手段と、を有することを特徴とする。
【００２３】
この第７の構成の携帯電話装置においては、撮影手段が、被写体を撮影して画像データを得ると、特徴量算出手段が、撮影手段により得られた画像データの特徴量を算出する。そして、検出手段が、記憶テーブルにより、該特徴量算出手段により算出された特徴量のデータに対応する特定情報を検出し、接続手段が、検出手段により検出された特定情報に基づき、所定のＷｅｂサーバに接続する。よって、上記記憶テーブルに記憶されている画像の特徴量として例えば会社名や会社のロゴマークを画像認識した結果の特徴量を記憶しておき、該特定情報として、その会社のＷｅｂサイトのＵＲＬを記憶しておくことにより、携帯電話装置において、文字や図形等を撮影するのみでその文字や図形に関連するＷｅｂサイトにアクセスすることが可能となる。
【００２４】
なお、上記第７の構成については、以下の構成としてもよい。すなわち、「携帯電話装置であって、被写体を撮影して画像データを得るための撮影装置と、通信を行うための通信装置と、画像の特徴量と、該特徴量に対応する特定情報であってＷｅｂサーバを特定するための情報である特定情報とを記憶する記憶テーブルを有する記憶装置と、制御装置であって、該撮影装置により被写体を撮影して画像データを得る撮影処理と、該撮影処理により得た画像データの特徴量を算出する特徴量算出処理と、該特徴量算出処理により算出された特徴量のデータに対応する特定情報を該記憶テーブルにより検出する検出処理と、該検出処理により検出された特定情報に基づき、所定のＷｅｂサーバに接続する接続処理と、を実行する制御装置と、を有することを特徴とする携帯電話装置。」としてもよい。
【００２５】
また、第８には、上記第７の構成において、上記記憶テーブルに記憶されている画像の特徴量は、文字及び／又は図形を画像認識することにより得られる特徴量であり、該特徴量に対応する特定情報は、該文字及び／又は図形と関連するＷｅｂサーバを特定するための情報であることを特徴とする。
【００２６】
また、第９には、上記第５から第８までのいずれかの構成において、上記特定情報が、インターネットにおけるＵＲＬであることを特徴とする。
【００２７】
なお、上記第５、第６、第８、第９の構成において、送信手段が送信してから受信手段が受信するまでの間、送信手段により送信を行うために接続された回線をそのまま接続しておいてもよいし、送信手段による送信が完了した場合に一旦回線を切断して、サーバコンピュータ側で再度回線を接続するようにしてもよい。なお、一旦回線を切断しその後回線を接続する場合には、送信元の宛先（例えば、電話番号）をサーバコンピュータに送信しておく必要がある。
【００２８】
また、第１０には、Ｗｅｂサーバへの接続を行なうサーバ接続システムであって、携帯電話装置であって、被写体を撮影して画像データを得る撮影手段と、該撮影手段により得られた画像データの特徴量を算出する特徴量算出手段と、該特徴量算出手段により算出された特徴量のデータを、サーバコンピュータであって、該特徴量に対応する特定情報であってＷｅｂサーバを特定するための情報である特定情報を検出するためのサーバコンピュータに送信する送信手段と、該サーバコンピュータから送信された該特定情報を受信する受信手段と、該受信手段により受信された特定情報に基づき、所定のＷｅｂサーバに接続する接続手段と、を有する携帯電話装置と、サーバコンピュータであって、画像の特徴量と、該特徴量に対応する特定情報であってＷｅｂサーバを特定するための情報である特定情報とを記憶する記憶テーブルを有する記憶手段と、該携帯電話装置から送信された特徴量のデータを受信する受信手段と、該記憶テーブルにより、受信した特徴量のデータに対応する特定情報を検出する検出手段と、該検出手段により検出された特定情報のデータを該携帯電話装置に送信する送信手段と、を有するサーバコンピュータと、を有することを特徴とする。
【００２９】
この第１０の構成のサーバ接続システムにおいては、携帯電話装置において、撮影手段が、被写体を撮影して画像データを得ると、特徴量算出手段が、該撮影手段により得られた画像データの特徴量を算出する。そして、送信手段が該特徴量算出手段により算出された特徴量のデータを、サーバコンピュータであって、該特徴量に対応する特定情報であってＷｅｂサーバを特定するための情報である特定情報を検出するためのサーバコンピュータに送信する。そして、サーバコンピュータにおいては、受信手段が携帯電話装置から送信された特徴量のデータを受信すると、検出手段が該記憶テーブルにより、受信した特徴量のデータに対応する特定情報を検出する。そして、送信手段が、特定情報のデータを送信元に送信する。そして、携帯電話装置においては、受信手段が該特定情報のデータを受信し、接続手段がその特定情報に基づき所定のＷｅｂサーバに接続を行う。よって、サーバコンピュータにおいて、画像の特徴量として例えば会社名や会社のロゴマーク等の文字や図形を画像認識した結果の特徴量を記憶しておき、該特定情報として、その会社のＷｅｂサイトのＵＲＬを記憶しておき、特徴量に対応する特定情報を検出するようにしておくことにより、携帯電話装置において、文字や図形等を撮影するのみでその文字や図形に関連するＷｅｂサイトにアクセスすることが可能となる。
【００３０】
なお、上記第１０の構成については、以下の構成としてもよい。すなわち、「Ｗｅｂサーバへの接続を支援するサーバ接続システムであって、携帯電話装置であって、被写体を撮影して画像データを得るための撮影装置と、通信を行うための通信装置と、制御装置であって、該撮影装置により被写体を撮影して画像データを得る撮影処理と、該撮影処理により得た画像データの特徴量を算出する特徴量算出処理と、該特徴量算出処理により算出された特徴量のデータを該通信装置により、サーバコンピュータであって、該特徴量に対応する特定情報であってＷｅｂサーバを特定するための情報である特定情報を検出するためのサーバコンピュータに送信する送信処理と、該サーバコンピュータから送信された特定情報を該通信装置により受信する受信処理と、該受信処理により受信された特定情報に基づき、所定のＷｅｂサーバに接続する接続処理と、を実行する制御装置と、を有する携帯電話装置と、サーバコンピュータであって、電気通信回線網と接続された通信装置と、画像の特徴量と、該特徴量に対応する特定情報であってＷｅｂサーバを特定するための情報である特定情報とを記憶する記憶テーブルを有する記憶装置と、制御装置であって、該携帯電話装置から送信された特徴量のデータを該通信装置により受信する受信処理と、該受信処理により受信した特徴量のデータに対応する特定情報を該記憶テーブルにより検出する検出処理と、該検出処理により特徴量のデータに対応する特定情報が検出された場合に、該特定情報のデータを該携帯電話装置に該通信装置により送信する送信処理と、を実行する制御装置と、を有するサーバコンピュータと、を有することを特徴とするサーバ接続システム。」としてもよい。
【００３１】
また、第１１には、Ｗｅｂサーバへの接続を行なうサーバ接続システムであって、携帯電話装置であって、被写体を撮影して画像データを得る撮影手段と、該撮影手段により得られた画像データを、サーバコンピュータであって、該画像データの特徴量を算出するとともに、該特徴量に対応する特定情報であってＷｅｂサーバを特定するための情報である特定情報を検出するためのサーバコンピュータに送信する送信手段と、該サーバコンピュータから送信された該特定情報を受信する受信手段と、該受信手段により受信された特定情報に基づき、所定のＷｅｂサーバに接続する接続手段と、を有する携帯電話装置と、サーバコンピュータであって、画像の特徴量と、該特徴量に対応する特定情報であってＷｅｂサーバを特定するための情報である特定情報とを記憶する記憶テーブルを有する記憶手段と、該携帯電話装置から送信された画像データの特徴量を算出する特徴量算出手段と、該記憶テーブルにより、該特徴量算出手段により算出された特徴量のデータに対応する特定情報を検出する検出手段と、該検出手段により検出された特定情報のデータを該携帯電話装置に送信する送信手段と、を有するサーバコンピュータと、を有することを特徴とする。
【００３２】
この第１１の構成のサーバ接続システムにおいては、携帯電話装置において、撮影手段が、被写体を撮影して画像データを得ると、送信手段が、画像データをサーバコンピュータであって、該特徴量に対応する特定情報であってＷｅｂサーバを特定するための情報である特定情報を検出するためのサーバコンピュータに送信する。そして、サーバコンピュータにおいては、受信手段が携帯電話装置から送信された画像データを受信すると、特徴量算出手段が、該画像データの特徴量を算出する。そして、検出手段が該記憶テーブルにより、受信した特徴量のデータに対応する特定情報を検出する。そして、送信手段が、特定情報のデータを送信元に送信する。そして、携帯電話装置においては、受信手段が該特定情報のデータを受信し、接続手段がその特定情報に基づき所定のＷｅｂサーバに接続を行う。よって、サーバコンピュータにおいて、画像の特徴量として例えば会社名や会社のロゴマーク等の文字や図形を画像認識した結果の特徴量を記憶しておき、該特定情報として、その会社のＷｅｂサイトのＵＲＬを記憶しておき、特徴量に対応する特定情報を検出するようにしておくことにより、携帯電話装置において、文字や図形等を撮影するのみでその文字や図形に関連するＷｅｂサイトにアクセスすることが可能となる。
【００３３】
なお、上記第１１の構成については、以下の構成としてもよい。すなわち、「Ｗｅｂサーバへの接続を支援するサーバ接続システムであって、携帯電話装置であって、被写体を撮影して画像データを得るための撮影装置と、通信を行うための通信装置と、制御装置であって、該撮影装置により被写体を撮影して画像データを得る撮影処理と、該撮影処理により得た画像データを該通信装置により、サーバコンピュータであって、画像データの特徴量を算出するとともに、該特徴量に対応する特定情報であってＷｅｂサーバを特定するための情報である特定情報を検出するためのサーバコンピュータに送信する送信処理と、該サーバコンピュータから送信された特定情報を該通信装置により受信する受信処理と、該受信処理により受信された特定情報に基づき、所定のＷｅｂサーバに接続する接続処理と、を実行する制御装置と、を有する携帯電話装置と、サーバコンピュータであって、電気通信回線網と接続された通信装置と、画像の特徴量と、該特徴量に対応する特定情報であってＷｅｂサーバを特定するための情報である特定情報とを記憶する記憶テーブルを有する記憶装置と、制御装置であって、該携帯電話装置から送信された画像データの特徴量を算出する特徴量算出処理と、該特徴量算出処理により算出された特徴量のデータに対応する特定情報を該記憶テーブルにより検出する検出処理と、該検出処理により特徴量のデータに対応する特定情報が検出された場合に、該特定情報のデータを該携帯電話装置に該通信装置により送信する送信処理と、を実行する制御装置と、を有するサーバコンピュータと、を有することを特徴とするサーバ接続システム。」としてもよい。
【００３４】
また、第１２には、上記第１０又は第１１の構成において、上記記憶テーブルに記憶されている画像の特徴量は、文字及び／又は図形を画像認識することにより得られる特徴量であり、該特徴量に対応する特定情報は、該文字及び／又は図形と関連するＷｅｂサーバを特定するための情報であることを特徴とする。
【００３５】
また、第１３には、上記第１０から第１２までのいずれかの構成において、上記特定情報が、インターネットにおけるＵＲＬであることを特徴とする。
【００３６】
なお、上記第１０から第１３までの構成において、サーバコンピュータの受信手段が受信してから送信手段が送信するまでの間、受信手段により受信を行うために接続された回線をそのまま接続しておいてもよいし、受信手段による受信が完了した場合に一旦回線を切断し送信手段が送信を行う際に再度送信元に対して回線を接続するようにしてもよい。なお、一旦回線を切断しその後回線を接続する場合には、送信元の宛先（例えば、電話番号）を取得しておく必要がある。
【００３７】
また、第１４には、サーバコンピュータによりＷｅｂサーバへの接続支援を行なうサーバ接続支援方法であって、特徴量のデータの送信元から送信された特徴量のデータを受信する受信工程と、画像の特徴量と、該特徴量に対応する特定情報であってＷｅｂサーバを特定するための情報である特定情報とを記憶する記憶テーブルにより、受信した特徴量のデータに対応する特定情報を検出する検出工程と、該検出工程により検出された該特定情報のデータを該送信元に送信する送信工程と、を有することを特徴とする。
【００３８】
この第１４の構成のサーバ接続支援方法においては、受信工程において特徴量のデータの送信元から送信された特徴量のデータを受信すると、検出工程において、該記憶テーブルにより、受信した特徴量のデータに対応する特定情報を検出する。そして、送信工程において、特定情報のデータを送信元に送信する。よって、上記記憶テーブルに記憶されている画像の特徴量として例えば会社名や会社のロゴマーク等の文字や図形を画像認識した結果の特徴量を記憶しておき、該特定情報として、その会社のＷｅｂサイトのＵＲＬを記憶しておき、カメラ付きの携帯電話装置により会社の会社名等の文字や図形を撮影して、該携帯電話装置において撮影した画像の特徴量を算出し、その特徴量のデータをサーバコンピュータに送ることにより、上記のような処理を経てサーバコンピュータから特定情報のデータを携帯電話装置に送ることができるので、携帯電話装置ではその特定情報を用いてＷｅｂサイトに接続することが可能となる。よって、携帯電話装置において、文字や図形等を撮影するのみでその文字や図形に関連するＷｅｂサイトにアクセスすることが可能となる。
【００３９】
また、第１５には、サーバコンピュータによりＷｅｂサーバへの接続支援を行なうサーバ接続支援方法であって、画像データの送信元から送信された画像データを受信する受信工程と、該受信工程により受信された画像データの特徴量を算出する特徴量算出工程と、画像の特徴量と、該特徴量に対応する特定情報であってＷｅｂサーバを特定するための情報である特定情報とを記憶する記憶テーブルにより、該特徴量算出工程により算出された特徴量のデータに対応する特定情報を検出する検出工程と、該検出工程により検出された該特定情報のデータを該送信元に送信する送信工程と、を有することを特徴とする。
【００４０】
この第１５の構成のサーバ接続支援方法においては、受信工程において画像データの送信元から送信された画像データを受信すると、特徴量算出工程において該受信工程により受信した画像データの特徴量を算出する。そして、検出工程において、該記憶テーブルにより、算出された特徴量のデータに対応する特定情報を検出する。そして、送信工程において、特定情報のデータを送信元に送信する。よって、上記記憶テーブルに記憶されている画像の特徴量として例えば会社名や会社のロゴマークを画像認識した結果の特徴量を記憶しておき、該特定情報として、その会社のＷｅｂサイトのＵＲＬを記憶しておき、カメラ付きの携帯電話により会社の会社名等を撮影して、撮影して得た画像データをサーバコンピュータに送ることにより、上記のような処理を経てサーバコンピュータから特定情報のデータを携帯電話装置に送ることができるので、携帯電話装置ではその特定情報を用いてＷｅｂサイトに接続することが可能となる。よって、携帯電話装置において、文字や図形等を撮影するのみでその文字や図形に関連するＷｅｂサイトにアクセスすることが可能となる。
【００４１】
また、第１６には、上記第１４又は第１５の構成において、上記記憶テーブルに記憶されている画像の特徴量は、文字及び／又は図形を画像認識することにより得られる特徴量であり、該特徴量に対応する特定情報は、該文字及び／又は図形と関連するＷｅｂサーバを特定するための情報であることを特徴とする。
【００４２】
また、第１７には、上記第１４から第１６までのいずれかの構成において、上記特定情報が、インターネットにおけるＵＲＬであることを特徴とする。
【００４３】
なお、上記第１４から第１７までの構成において、受信工程において受信を行ってから送信工程において送信を行なうまでの間、受信工程において受信を行うために接続された回線をそのまま接続しておいてもよいし、受信工程による受信が完了した場合に一旦回線を切断し送信工程において送信を行う際に再度送信元に対して回線を接続するようにしてもよい。なお、一旦回線を切断しその後回線を接続する場合には、送信元の宛先（例えば、電話番号）を取得しておく必要がある。
【００４４】
また、第１８には、撮影機能を有する携帯電話装置によりＷｅｂサーバに接続を行うサーバ接続方法であって、被写体を撮影して画像データを得る撮影工程と、該撮影工程により得られた画像データの特徴量を算出する特徴量算出工程と、該特徴量算出工程により算出された特徴量のデータを、サーバコンピュータであって、該特徴量に対応する特定情報であってＷｅｂサーバを特定するための情報である特定情報を検出するためのサーバコンピュータに送信する送信工程と、該サーバコンピュータから送信された該特定情報を受信する受信工程と、該受信工程により受信された特定情報に基づき、所定のＷｅｂサーバに接続する接続工程と、を有することを特徴とする。
【００４５】
この第１８の構成のサーバ接続方法においては、撮影工程において、被写体を撮影して画像データを得ると、特徴量算出工程において、該撮影工程により得られた画像データの特徴量を算出する。そして、送信工程において、特徴量算出工程により算出された特徴量のデータを、サーバコンピュータであって、該特徴量に対応する特定情報であってＷｅｂサーバを特定するための情報である特定情報を検出するためのサーバコンピュータに送信する。そして、サーバコンピュータにおいて、該特徴量に対応する特定情報であってＷｅｂサーバを特定するための情報である特定情報が検出されて該特定情報のデータが携帯電話装置に送られたら、受信工程において該特定情報のデータを受信し、接続工程においてその特定情報に基づき所定のＷｅｂサーバに接続を行う。よって、サーバコンピュータにおいて、画像の特徴量として例えば会社名や会社のロゴマーク等の文字や図形を画像認識した結果の特徴量を記憶しておき、該特定情報として、その会社のＷｅｂサイトのＵＲＬを記憶しておき、特徴量に対応する特定情報を検出するようにしておくことにより、携帯電話装置において、文字や図形等を撮影するのみでその文字や図形に関連するＷｅｂサイトにアクセスすることが可能となる。
【００４６】
また、第１９には、撮影機能を有する携帯電話装置によりＷｅｂサーバに接続を行うサーバ接続方法であって、被写体を撮影して画像データを得る撮影工程と、該撮影工程により得られた画像データを、サーバコンピュータであって、該画像データの特徴量を算出するとともに、該特徴量に対応する特定情報であってＷｅｂサーバを特定するための情報である特定情報を検出するためのサーバコンピュータに送信する送信工程と、該サーバコンピュータから送信された該特定情報を受信する受信工程と、該受信工程により受信された特定情報に基づき、所定のＷｅｂサーバに接続する接続工程と、を有することを特徴とする。
【００４７】
この第１９の構成のサーバ接続方法においては、撮影工程において、被写体を撮影して画像データを得ると、送信工程において、画像データを、サーバコンピュータであって、該画像データの特徴量を算出するとともに、該特徴量に対応する特定情報であってＷｅｂサーバを特定するための情報である特定情報を検出するためのサーバコンピュータに送信する。そして、サーバコンピュータにおいて、該画像データの特徴量が算出され、さらに、該特徴量に対応する特定情報であってＷｅｂサーバを特定するための情報である特定情報が検出されて該特定情報のデータが携帯電話装置に送られたら、受信工程において該特定情報のデータを受信し、接続工程においてその特定情報に基づき所定のＷｅｂサーバに接続を行う。よって、サーバコンピュータにおいて、画像の特徴量として例えば会社名や会社のロゴマーク等の文字や図形を画像認識した結果の特徴量を記憶しておき、該特定情報として、その会社のＷｅｂサイトのＵＲＬを記憶しておき、画像データの特徴量を算出するとともに、特徴量に対応する特定情報を検出するようにしておくことにより、携帯電話装置において、文字や図形等を撮影するのみでその文字や図形に関連するＷｅｂサイトにアクセスすることが可能となる。
【００４８】
なお、上記第１８、第１９の構成において、送信工程において送信を行ってから受信工程において受信を行うまでの間、送信工程において送信を行うために接続された回線をそのまま接続しておいてもよいし、送信工程における送信が完了した場合に一旦回線を切断して、サーバコンピュータ側で再度回線を接続するようにしてもよい。なお、一旦回線を切断しその後回線を接続する場合には、送信元の宛先（例えば、電話番号）をサーバコンピュータに送信しておく必要がある。
【００４９】
また、第２０には、携帯電話装置によりＷｅｂサーバに接続を行うサーバ接続方法であって、被写体を撮影して画像データを得る撮影工程と、該撮影工程により得られた画像データの特徴量を算出する特徴量算出工程と、画像の特徴量と、該特徴量に対応する特定情報であってＷｅｂサーバを特定するための情報である特定情報とを記憶する記憶テーブルにより、該特徴量算出工程により算出された特徴量のデータに対応する特定情報を検出する検出工程と、該検出工程により検出された特定情報に基づき、所定のＷｅｂサーバに接続する接続工程と、を有することを特徴とする。
【００５０】
この第２０の構成においては、撮影工程において、被写体を撮影して画像データを得ると、特徴量算出工程において、撮影工程により得られた画像データの特徴量を算出する。そして、検出工程において、記憶テーブルにより、該特徴量算出工程により算出された特徴量のデータに対応する特定情報を検出し、接続工程において、検出工程により検出された特定情報に基づき、所定のＷｅｂサーバに接続する。よって、上記記憶テーブルに記憶されている画像の特徴量として例えば会社名や会社のロゴマークを画像認識した結果の特徴量を記憶しておき、該特定情報として、その会社のＷｅｂサイトのＵＲＬを記憶しておくことにより、携帯電話装置において、文字や図形等を撮影するのみでその文字や図形に関連するＷｅｂサイトにアクセスすることが可能となる。
【００５１】
また、第２１には、Ｗｅｂサーバへの接続を行なうサーバ接続方法であって、撮影機能を有する携帯電話装置により、被写体を撮影して画像データを得る撮影工程と、該撮影工程により得られた画像データの特徴量を算出する特徴量算出工程と、該特徴量算出工程により算出された特徴量のデータを、サーバコンピュータであって、該特徴量に対応する特定情報であってＷｅｂサーバを特定するための情報である特定情報を検出するためのサーバコンピュータに送信する送信工程と、を行い、サーバコンピュータにより、該携帯電話装置から送信された特徴量のデータを受信する受信工程と、画像の特徴量と、該特徴量に対応する特定情報であってＷｅｂサーバを特定するための情報である特定情報とを記憶する記憶テーブルにより、受信した特徴量のデータに対応する特定情報を検出する検出工程と、該検出工程により検出された該特定情報のデータを該携帯電話装置に送信する送信工程と、を行い、該携帯電話装置により、該サーバコンピュータから送信された該特定情報を受信する受信工程と、該受信工程により受信された特定情報に基づき、所定のＷｅｂサーバに接続する接続工程と、を行なうことを特徴とする。
【００５２】
この第２１の構成のサーバ接続方法においては、携帯電話装置において、撮影工程において、被写体を撮影して画像データを得ると、特徴量算出工程において、該撮影工程により得られた画像データの特徴量を算出する。そして、送信工程において、該特徴量算出工程により算出された特徴量のデータを、サーバコンピュータであって、該特徴量に対応する特定情報であってＷｅｂサーバを特定するための情報である特定情報を検出するためのサーバコンピュータに送信する。そして、サーバコンピュータにおいては、受信工程において、携帯電話装置から送信された特徴量のデータを受信すると、検出工程において、該記憶テーブルにより、受信した特徴量のデータに対応する特定情報を検出する。そして、送信工程において、特定情報のデータを送信元に送信する。そして、携帯電話装置においては、受信工程において、該特定情報のデータを受信し、接続工程において、その特定情報に基づき所定のＷｅｂサーバに接続を行う。よって、サーバコンピュータにおいて、画像の特徴量として例えば会社名や会社のロゴマーク等の文字や図形を画像認識した結果の特徴量を記憶しておき、該特定情報として、その会社のＷｅｂサイトのＵＲＬを記憶しておき、特徴量に対応する特定情報を検出するようにしておくことにより、携帯電話装置において、文字や図形等を撮影するのみでその文字や図形に関連するＷｅｂサイトにアクセスすることが可能となる。
【００５３】
また、第２２には、Ｗｅｂサーバへの接続を行なうサーバ接続方法であって、撮影機能を有する携帯電話装置により、被写体を撮影して画像データを得る撮影工程と、該撮影工程により得られた画像データを、サーバコンピュータであって、該画像データの特徴量を算出するとともに、該特徴量に対応する特定情報であってＷｅｂサーバを特定するための情報である特定情報を検出するためのサーバコンピュータに送信する送信工程と、を行い、サーバコンピュータにより、該携帯電話装置から送信された画像データを受信する受信工程と、該受信工程により受信された画像データの特徴量を算出する特徴量算出工程と、画像の特徴量と、該特徴量に対応する特定情報であってＷｅｂサーバを特定するための情報である特定情報とを記憶する記憶テーブルにより、算出した特徴量のデータに対応する特定情報を検出する検出工程と、該検出工程により検出された該特定情報のデータを該携帯電話装置に送信する送信工程と、を行い、該携帯電話装置により、該サーバコンピュータから送信された該特定情報を受信する受信工程と、該受信工程により受信された特定情報に基づき、所定のＷｅｂサーバに接続する接続工程と、を行なうことを特徴とする。
【００５４】
この第２２の構成のサーバ接続方法においては、携帯電話装置において、撮影工程において、被写体を撮影して画像データを得ると、送信工程において、画像データをサーバコンピュータであって、該特徴量に対応する特定情報であってＷｅｂサーバを特定するための情報である特定情報を検出するためのサーバコンピュータに送信する。そして、サーバコンピュータにおいては、受信工程において、携帯電話装置から送信された画像データを受信すると、特徴量算出工程において、該画像データの特徴量を算出する。そして、検出工程において、該記憶テーブルにより、受信した特徴量のデータに対応する特定情報を検出する。そして、送信工程において、特定情報のデータを送信元に送信する。そして、携帯電話装置においては、受信工程において、該特定情報のデータを受信し、接続工程において、その特定情報に基づき所定のＷｅｂサーバに接続を行う。よって、サーバコンピュータにおいて、画像の特徴量として例えば会社名や会社のロゴマーク等の文字や図形を画像認識した結果の特徴量を記憶しておき、該特定情報として、その会社のＷｅｂサイトのＵＲＬを記憶しておき、特徴量に対応する特定情報を検出するようにしておくことにより、携帯電話装置において、文字や図形等を撮影するのみでその文字や図形に関連するＷｅｂサイトにアクセスすることが可能となる。
【００５５】
また、第２３には、Ｗｅｂサーバへの接続を行なうサーバ接続方法であって、被写体を撮影して画像データを得る撮影工程と、該撮影工程により得られた画像データの特徴量を算出する特徴量算出工程と、画像の特徴量と、該特徴量に対応する特定情報であってＷｅｂサーバを特定するための情報である特定情報とを記憶する記憶テーブルにより、該特徴量算出工程により算出された特徴量のデータに対応する特定情報を検出する検出工程と、該検出工程により検出された特定情報に基づき、所定のＷｅｂサーバに接続する接続工程と、を有することを特徴とする。
【００５６】
この第２３の構成においては、撮影工程において、被写体を撮影して画像データを得ると、特徴量算出工程において、撮影工程により得られた画像データの特徴量を算出する。そして、検出工程において、記憶テーブルにより、該特徴量算出工程により算出された特徴量のデータに対応する特定情報を検出し、接続工程において、検出工程により検出された特定情報に基づき、所定のＷｅｂサーバに接続する。よって、上記記憶テーブルに記憶されている画像の特徴量として例えば会社名や会社のロゴマークを画像認識した結果の特徴量を記憶しておき、該特定情報として、その会社のＷｅｂサイトのＵＲＬを記憶しておくことにより、携帯電話装置において、文字や図形等を撮影するのみでその文字や図形に関連するＷｅｂサイトにアクセスすることが可能となる。
【００５７】
また、第２４には、上記第２０から第２３までのいずれかの構成において、上記記憶テーブルに記憶されている画像の特徴量は、文字及び／又は図形を画像認識することにより得られる特徴量であり、該特徴量に対応する特定情報は、該文字及び／又は図形と関連するＷｅｂサーバを特定するための情報であることを特徴とする。
【００５８】
また、第２５には、上記第１８から第２４までのいずれかの構成において、上記特定情報が、インターネットにおけるＵＲＬであることを特徴とする。
【００５９】
なお、上記第２１、第２２、第２４、第２５の構成において、サーバコンピュータにおいて受信工程で受信を行ってから送信工程で送信を行なうまでの間、受信工程において受信を行うために接続された回線をそのまま接続しておいてもよいし、受信工程による受信が完了した場合に一旦回線を切断し送信工程において送信を行う際に再度送信元に対して回線を接続するようにしてもよい。なお、一旦回線を切断しその後回線を接続する場合には、送信元の宛先（例えば、電話番号）を取得しておく必要がある。
【００６０】
また、第２６には、Ｗｅｂサーバへの接続を行なうためのサーバ接続プログラムであって、被写体を撮影して得た画像データの特徴量を算出する特徴量算出処理と、該特徴量算出処理により算出された特徴量のデータを該通信装置により、サーバコンピュータであって、該特徴量に対応する特定情報であってＷｅｂサーバを特定するための情報である特定情報を検出するためのサーバコンピュータに送信する送信処理と、該サーバコンピュータから送信された特定情報を該通信装置により受信する受信処理と、を実行することを特徴とする。
【００６１】
この第２６の構成のサーバ接続プログラムは、カメラ付きの携帯電話装置等の撮影機能を有する端末装置に記憶させて使用する。すなわち、被写体を撮影して画像データを取得したら、該特徴量算出処理により、被写体を撮影して得た画像データの特徴量を算出する。そして、該送信処理により、該特徴量算出処理により算出された特徴量のデータを該通信装置により、サーバコンピュータであって、該特徴量に対応する特定情報であってＷｅｂサーバを特定するための情報である特定情報を検出するためのサーバコンピュータに送信する。そして、サーバコンピュータにおいて、該特徴量に対応する特定情報であってＷｅｂサーバを特定するための情報である特定情報が検出されて該特定情報のデータが携帯電話装置に送られたら、上記受信処理により該特定情報のデータを受信し、その特定情報に基づき所定のＷｅｂサーバに接続を行う。よって、サーバコンピュータにおいて、画像の特徴量として例えば会社名や会社のロゴマーク等の文字や図形を画像認識した結果の特徴量を記憶しておき、該特定情報として、その会社のＷｅｂサイトのＵＲＬを記憶しておき、特徴量に対応する特定情報を検出するようにしておくことにより、携帯電話装置において、文字や図形等を撮影するのみでその文字や図形に関連するＷｅｂサイトにアクセスすることが可能となる。
【００６２】
また、第２７には、Ｗｅｂサーバへの接続を行なうためのサーバ接続プログラムであって、被写体を撮影して得た画像データを、サーバコンピュータであって、該画像データの特徴量を算出するとともに、該特徴量に対応する特定情報であってＷｅｂサーバを特定するための情報である特定情報を検出するためのサーバコンピュータに送信する送信処理と、該サーバコンピュータから送信された該特定情報を受信する受信処理と、を実行することを特徴とする。
【００６３】
この第２７の構成のサーバ接続プログラムは、カメラ付きの携帯電話装置等の撮影機能を有する端末装置に記憶させて使用する。すなわち、被写体を撮影して画像データを取得したら、該送信処理により、画像データを、サーバコンピュータであって、該画像データの特徴量を算出するとともに、該特徴量に対応する特定情報であってＷｅｂサーバを特定するための情報である特定情報を検出するためのサーバコンピュータに送信する。そして、サーバコンピュータにおいて、該画像データの特徴量が算出され、さらに、該特徴量に対応する特定情報であってＷｅｂサーバを特定するための情報である特定情報が検出されて該特定情報のデータが携帯電話装置に送られたら、該受信処理により該特定情報のデータを受信し、その特定情報に基づき所定のＷｅｂサーバに接続を行う。よって、サーバコンピュータにおいて、画像の特徴量として例えば会社名や会社のロゴマーク等の文字や図形を画像認識した結果の特徴量を記憶しておき、該特定情報として、その会社のＷｅｂサイトのＵＲＬを記憶しておき、画像データの特徴量を算出するとともに、特徴量に対応する特定情報を検出するようにしておくことにより、携帯電話装置において、文字や図形等を撮影するのみでその文字や図形に関連するＷｅｂサイトにアクセスすることが可能となる。
【００６４】
また、第２８には、Ｗｅｂサーバへの接続を行なうためのサーバ接続プログラムであって、被写体を撮影して得た画像データの特徴量を算出する特徴量算出処理と、画像の特徴量と、該特徴量に対応する特定情報であってＷｅｂサーバを特定するための情報である特定情報とを記憶する記憶テーブルにより、該特徴量算出処理により算出された特徴量のデータに対応する特定情報を検出する検出処理と、を実行することを特徴とする。
【００６５】
この第２８の構成のサーバ接続プログラムは、カメラ付きの携帯電話装置等の撮影機能を有する端末装置に記憶させて使用する。すなわち、被写体を撮影して画像データを取得したら、特徴量算出処理により、画像データの特徴量を算出する。そして、検出処理により、記憶テーブルにより、該特徴量算出処理により算出された特徴量のデータに対応する特定情報を検出し、検出工程により検出された特定情報に基づき、所定のＷｅｂサーバに接続する。よって、上記記憶テーブルに記憶されている画像の特徴量として例えば会社名や会社のロゴマークを画像認識した結果の特徴量を記憶しておき、該特定情報として、その会社のＷｅｂサイトのＵＲＬを記憶しておくことにより、携帯電話装置において、文字や図形等を撮影するのみでその文字や図形に関連するＷｅｂサイトにアクセスすることが可能となる。
【００６６】
また、第２９には、上記第２６から第２８までのいずれかの構成において、上記サーバ接続プログラムが、さらに、特定情報に基づき、所定のＷｅｂサーバに接続するための処理であって、少なくともＷｅｂブラウザの機能を有するプログラムに該所定のＷｅｂサーバへの接続を指示する処理を実行することを特徴とする。
【００６７】
なお、上記第２６から第２９までのプログラムを記録した記録媒体としてもよい。
【００６８】
また、第３０には、サーバコンピュータであって、上記第２６又は第２７又は第２８又は第２９の構成のサーバ接続プログラムのデータを記憶する記憶手段と、該サーバコンピュータに電気通信回線網を介して接続された端末から、該サーバ接続プログラムのデータの送信依頼を受信した場合に、該端末に該サーバ接続プログラムのデータを送信する送信手段と、を有することを特徴とする。
【００６９】
よって、携帯電話装置等の端末から該サーバ接続プログラムのデータの送信依頼を受信した場合に、該端末に該サーバ接続プログラムのデータを送信することにより、携帯電話装置において、文字や図形等を撮影するのみでその文字や図形に関連するＷｅｂサイトにアクセスすることが可能となる。
【００７０】
また、第３１には、サーバコンピュータであって、上記第２９の構成のサーバ接続プログラムのデータと、画像の特徴量と、該特徴量に対応する特定情報であってＷｅｂサーバを特定するための情報である特定情報とを記憶する記憶テーブルのデータを記憶する記憶手段と、該サーバコンピュータに電気通信回線網を介して接続された端末から、該サーバ接続プログラムのデータと記憶テーブルのデータの送信依頼を受信した場合に、該端末に該サーバ接続プログラムのデータと記憶テーブルのデータとを送信する送信手段と、を有することを特徴とする。
【００７１】
よって、携帯電話装置等の端末から該サーバ接続プログラムのデータと記憶テーブルのデータの送信依頼を受信した場合に、該端末に該サーバ接続プログラムのデータと記憶テーブルのデータとを送信することにより、携帯電話装置において、文字や図形等を撮影するのみでその文字や図形に関連するＷｅｂサイトにアクセスすることが可能となる。
【００７２】
なお、上記第１から第３１の構成やその他の構成において、「携帯電話装置」とあるのは「携帯端末」又は「端末装置」としてもよい。例えば、上記第５〜第１３までの構成において、「携帯電話装置」とあるのは「携帯端末」又は「端末装置」としてもよい。また、例えば、上記第１８〜第２２の構成において、「携帯電話装置」とあるのは「携帯端末」又は「端末装置」としてもよい。また、上記第１から第３１の構成やその他の構成において、「特徴量に対応する特定情報であってＷｅｂサーバを特定するための情報である特定情報」とあるのは、「特徴量に対応するＵＲＬの情報」としてもよい。
【００７３】
【発明の実施の形態】
本発明の実施の形態としての実施例を図面を利用して説明する。本発明の第１実施例に基づく接続システム（サーバ接続システム）Ｐ１は、図１に示すように、携帯電話装置（以下単に「携帯電話」とする）Ａと、接続支援サーバ（「接続支援サーバー」としてもよい）Ｂとを有していて、Ｗｅｂサーバ（ウェブサーバ）Ｃへの接続を行なうためのシステムである。
【００７４】
この接続支援サーバＢと、ＷｅｂサーバＣは、電気通信回線網Ｎに接続されていて、携帯電話Ａは、所定のサーバに接続するとともに、Ｗｅｂブラウザを用いて接続支援サーバＢやＷｅｂサーバＣにアクセスすることが可能である。
【００７５】
まず、携帯電話Ａについて説明する。携帯電話Ａは、カメラを搭載した携帯電話であり、図２に示すように、通信部５と、カメラ１０と、表示部１２と、操作部１４と、記憶部１６と、ＣＰＵ２２等を有している。
【００７６】
ここで、通信部５は、基地局との通信を行うための装置であり、アンテナ、送受信アンプや、送受信回路、モデム等から構成される。また、カメラ１０は、被写体を撮影するための装置であり、操作部１４を操作することにより撮影が可能である。この携帯電話Ａは、撮影機能を有する携帯電話あるといえる。また、表示部１２は、画像を表示するための表示装置である。また、操作部１４は、各種入力を行うための操作ボタンにより構成される。
【００７７】
また、記憶部１６は、各種情報を格納するための記憶装置であり、この記憶部１６は、図２に示すように、プログラム格納部１８と、データ格納部２０とを有している。この記憶部１６は、実際には、複数の記憶装置により構成される場合もある。
【００７８】
このプログラム格納部１８には、携帯電話Ａにおける各部を動作させるための各種プログラムが格納されており、実際には、メモリ等の記憶装置に各種プログラムを格納した状態で構成される。このプログラム格納部１８には、図３に示すように、撮影プログラム１８ａ、特徴量算出プログラム１８ｂ、通信プログラム１８ｃ等が格納されている。
【００７９】
ここで、撮影プログラム１８ａは、カメラ１０により被写体を撮影するためのプログラムであり、被写体を表示部１２に表示させたり、被写体を撮影して得た画像をデータ格納部２０に格納したりするためのプログラムである。
【００８０】
また、特徴量算出プログラム１８ｂは、画像認識を行って画像の特徴量を算出するためのプログラムであり、撮影して得た画像における文字や図形等を抽出するとともに、抽出した文字や図形等の特徴量を算出するためのプログラムである。具体的には、文字や図形の輪郭の頂点の数や、頂点同士を結んだ直線同士がなす角度や、色（例えば、文字や図形自体の色や背景の色）等により特徴量を算出する。算出する特徴量は、例えば、所定の桁数の数字により表現される。なお、例えば、一連の文字については、その一連の文字についての１つの特徴量が算出される。例えば、「ＡＢＣＤ」という文字列であれば、この「ＡＢＣＤ」という文字列に対して１つの特徴量が算出される。このプログラムは、少なくとも、文字認識や図形認識等を行い、文字や図形等の特徴量を算出する機能を有しているといえる。
【００８１】
また、通信プログラム１８ｃは、携帯電話Ａにより通信を行うためのプログラムであり、通話、インターネットによる通信等を行うためのプログラムである。この通信プログラム１８ｃには、特に、撮影した画像に基づき所定のＷｅｂサーバへの接続を行なうモードである画像認識接続モードの場合に実行させるプログラムが格納されていて、例えば、特徴量が算出された場合には接続支援サーバＢに算出された特徴量のデータを送信するプログラムである特徴量データ送信プログラムや、接続支援サーバＢからＵＲＬのデータが送信された場合にはそのＵＲＬのデータを受信するプログラムであるＵＲＬデータ受信プログラムや、Ｗｅｂサーバに接続を行うためのプログラム（すなわち、Ｗｅｂブラウザの機能を有するプログラム）であるＷｅｂサーバ接続プログラムや、ＵＲＬのデータを接続支援サーバＢから受信した場合に受信したＵＲＬのデータに従いＷｅｂサーバへの接続をＷｅｂサーバ接続プログラムに指示する接続指示プログラム等が含まれている。
【００８２】
なお、携帯電話であるので、当然携帯電話本来の機能を果たすための各種プログラムは、プログラム格納部１８に格納されている。
【００８３】
なお、プログラム格納部１８に格納されているプログラムは、予め携帯電話Ａの記憶部１６におけるプログラム格納部１８に記憶しておいてもよいが、既存の携帯電話にダウンロードさせるようにしてもよい。つまり、従来の携帯電話には記憶されていないプログラム、すなわち、上記画像認識接続モードにおいて実行されるプログラム、例えば、上記特徴量算出プログラムや、特徴量データ送信プログラムや、ＵＲＬデータ受信プログラムや、接続指示プログラム等をダウンロードさせることにより、既存の携帯電話にも適用することが可能となる。この場合に接続支援サーバＢに、ダウンロードさせるプログラムのデータを記憶しておき、携帯電話Ａから送信依頼があった場合には、該プログラムのデータを送信してダウンロードさせる。
【００８４】
なお、上記特徴量算出プログラムと、特徴量データ送信プログラムと、ＵＲＬデータ受信プログラムと、接続指示プログラムとは、上記サーバ接続プログラムとして機能する。特に、特徴量算出プログラムは、被写体を撮影して得た画像データの特徴量を算出する特徴量算出処理を実行するプログラムであり、特徴量データ算出プログラムは、該特徴量算出処理により算出された特徴量のデータを該通信装置により、サーバコンピュータであって、該特徴量に対応する特定情報であってＷｅｂサーバを特定するための情報である特定情報を検出するためのサーバコンピュータに送信する送信処理を実行するプログラムであり、ＵＲＬデータ受信プログラムは、該サーバコンピュータから送信された特定情報を該通信装置により受信する受信処理を実行するプログラムであり、接続指示プログラムは、特定情報に基づき、所定のＷｅｂサーバに接続するための処理であって、少なくともＷｅｂブラウザの機能を有するプログラムに該所定のＷｅｂサーバへの接続を指示する処理を実行するプログラムである。
【００８５】
また、データ格納部２０は、各種データを格納するための記憶装置であり、撮影して得た画像等のデータを一時的に格納したり、登録した電話番号のデータを保存したりするのに用いられる。
【００８６】
また、ＣＰＵ２２は、携帯電話Ａを構成する各部の動作を制御するものであり、制御装置、演算装置、主記憶装置としての機能を有し、特に、プログラム格納部１８に格納された各プログラムに従い動作する。
【００８７】
次に、接続支援サーバＢについて説明する。接続支援サーバＢは、サーバコンピュータであり、通信部３０と、記憶部３２と、ＣＰＵ３８とを有している。
【００８８】
この通信部３０は、電気通信回線網Ｎと接続された通信装置であり、インターネットを介して外部との通信が可能となっている。
【００８９】
また、記憶部３２は、各種情報を記憶するための記憶装置であり、この記憶部３２は、プログラム格納部３４と、データ格納部３６とを有している。この記憶部３２は、実際には、複数の記憶装置により構成される場合もある。
【００９０】
このプログラム格納部３４には、接続支援サーバＢにおける各部を動作させるための各種プログラムが格納されており、実際には、ハードディスク等の記憶装置に各種プログラムを格納した状態で構成される。このプログラム格納部３４には、図５に示すようにＵＲＬ検出プログラム３４ａと、通信プログラム３４ｂとを有している。
【００９１】
このＵＲＬ検出プログラム３４ａは、データ格納部３６に格納されたＵＲＬ検出用テーブルに従い、携帯電話Ａから送信された特徴量のデータに基づき、ＵＲＬを検出するためのプログラムである。
【００９２】
また、通信プログラム３４ｂは、外部との通信を行うためのプログラムであり、特に、携帯電話Ａから送信された特徴量のデータを受信するプログラムである特徴量データ受信プログラムや、検出されたＵＲＬのデータを携帯電話Ａに送信するためのプログラムであるＵＲＬデータ送信プログラム等を有している。
【００９３】
また、データ格納部３６は、各種データを格納するための記憶装置であり、特に、図６に示すようなＵＲＬ検出用テーブル（以下単に「検出用テーブル」とする）（記憶テーブル）が格納されている。この検出用テーブルは、特徴量とＵＲＬの対応を示すものであり、所定の特徴量に対応したＵＲＬのデータが記憶されている。なお、１つのＵＲＬに対して複数の特徴量が記憶される場合もある。例えば、ある文字を撮影した場合に、その文字が正立した状態で撮影した場合（図７（ａ）参照）と上下逆の場合（図７（ｂ）参照）や、所定角度傾いた状態で撮影した場合（図７（ｃ）参照）等では、算出される特徴量が異なるので、正立した状態以外の状態の文字、図形が撮影された場合に対応するように、正立した場合のみならず、他の場合の特徴量のデータも記憶しておく。例えば、図７（ａ）、（ｂ）、（ｃ）のそれぞれの場合についての特徴量も記憶しておく。つまり、ある文字や図形が撮影される状況を考慮して、１つの文字や図形に対して複数個の特徴量を記憶しておく。また、ある状態（例えば、正立した場合）でも、カメラの向きが正面に対峙しておらず、図７（ｄ）に示すように、若干斜めに撮影される場合もあるので、記憶される特徴量についても所定の幅を持たせて、所定の範囲の特徴量として記憶しておくことが好ましい。例えば、ある特徴量について、下数桁を所定の範囲とすることが考えられる。
【００９４】
また、この検出用テーブルに記憶される特徴量に対応する文字や図形等としては、あるＵＲＬにより特定されるサイトに関連する文字や図形に対応した特徴量を多く格納しておくことが好ましい。例えば、ある会社のサイトの場合には、その会社名の文字のみならず、その会社名のロゴマークや、会社を示す図形、その会社の商品名や商品のロゴマーク等そのサイトに関連する文字や図形等に対応する特徴量を記憶しておく。また、文字や図形のみならず、記号や絵柄でもよく、また、平面的に表示されたものにも限られない。例えば、有形の商品（例えば、飲料容器、自動車等）の全体像を撮影して算出した特徴量を記憶しておいてもよい。なお、上記検出用テーブルが、上記記憶テーブルに当たる。また、データ格納部３６は、上記記憶テーブルを有する記憶手段に当たる。なお、検出用テーブルに記憶されているＵＲＬは、上記「特徴量に対応する特定情報であってＷｅｂサーバを特定するための情報である特定情報」に当たる。なお、ＵＲＬであるので、Ｗｅｂサーバを特定するのみならず、サーバ上のファイルまで特定する場合もあるが、その場合も、少なくともＷｅｂサーバを特定しているといえる。
【００９５】
また、ＣＰＵ３８は、接続支援サーバＢを構成する各部の動作を制御するものであり、制御装置、演算装置、主記憶装置としての機能を有し、特に、プログラム格納部３４に格納された各プログラムに従い動作する。
【００９６】
次に、ＷｅｂサーバＣは、インターネットにより公開するＷｅｂページのデータを保存するとともに、Ｗｅｂブラウザからの要求に従ってＨＴＭＬ等のファイルを送信するサーバである。
【００９７】
次に、上記構成の接続システムＰ１の動作について図８等を使用して説明する。まず、携帯電話Ａを操作して、撮影した画像に基づき所定のＷｅｂサーバへの接続を行なうモードである画像認識接続モードに切換え、操作部１４によりカメラ１０を用いて文字や図形を撮影して、画像データを取り込む（Ｓ１０、撮影工程）。つまり、ある文字や図形に関するＷｅｂサイトに接続したい場合に、その文字や図形を被写体として撮影する。図９、図１０に示す例は、株式会社ＡＢＣＤのサイトに接続しようとして、株式会社ＡＢＣＤが販売している缶ジュースの容器に表示された会社名を示すロゴマークを撮影する場合の例を示すものであるが、例えば、図９（ｂ）に示すように、該ロゴマークを撮影して、該ロゴマークの画像データを取り込む。取り込んだ画像を表示部１２に表示した例が図１０（ａ）のようになる。このステップＳ１０の動作は、上記撮影プログラム１８ａに基づきＣＰＵ２２がカメラ１０等を制御することにより行われる。この場合、撮影プログラム１８ａやこれに従い動作するＣＰＵ２２、カメラ１０は、上記「被写体を撮影して画像データを得る撮影手段」として機能する。取り込んだ画像データは、データ格納部２０に保存する。なお、上記の説明では、画像認識接続モードに切り換えた上で撮影をするとしたが、通常の写真撮影の場合と同様に撮影を行って画像を取り込んだ後に、画像認識接続モードに切り換えて次のステップＳ１１に移行するようにしてもよい。その際には、画像の取込みが完了した時点で、画像認識接続モードに切換えを行うか否かの問い合わせを表示部１２に表示する等してユーザに選択させるのが好ましい。
【００９８】
すると、取り込んだ画像データの画像認識を行ってその画像の特徴量を算出する（Ｓ１１、特徴量算出工程）。すなわち、撮影して得た画像における文字や図形等を抽出するとともに、抽出した文字や図形の特徴量を算出する。このステップＳ１１の動作は、上記特徴量算出プログラム１８ｂに基づきＣＰＵ２２が演算を行って算出するこの場合、特徴量算出プログラム１８ｂとＣＰＵ２２は、上記「撮影手段により得られた画像データの特徴量を算出する特徴量算出手段」として機能する。なお、特徴量の算出ができない場合には、その旨を表示して処理を終了する。
【００９９】
特徴量の算出が行われたら、該特徴量のデータを接続支援サーバＢに送信する（Ｓ１２、送信工程）。つまり、携帯電話Ａからプロバイダのサーバへの回線接続を介して接続支援サーバＢに対して回線を接続し、特徴量のデータを接続支援サーバＢに送信する。このステップＳ１２の動作は、上記通信プログラム（特に、特徴量データ送信プログラム）１８ｃに基づきＣＰＵ２２が通信部５等を制御することにより行われる。なお、この場合、特徴量データ送信プログラムとＣＰＵ２２は、「該特徴量算出手段により算出された特徴量のデータを、サーバコンピュータであって、該特徴量に対応する特定情報であってＷｅｂサーバを特定するための情報である特定情報を検出するためのサーバコンピュータに送信する送信手段」として機能する。なお、送信の仕方としては、回線接続後特徴量のデータをそのまま送信してもよいし、電子メールにより特徴量のデータを送信する方法（例えば、メール文書中に特徴量のデータを含める方法や、特徴量のデータを電子メールに添付する方法等が考えられる）等種々の方法が考えられる。
【０１００】
次に、接続支援サーバＢでは、通信部３０により、送信された特徴量のデータが受信され（Ｓ２０、受信工程）、データ格納部３６に一時保存される。このステップＳ２０の動作は、通信プログラム（特に、特徴量データ受信プログラム）３４ｂに基づき、ＣＰＵ３８が通信部３０等を制御することにより行われる。この場合、特徴量データ受信プログラムやこれに従い動作するＣＰＵ３８、通信部３０は、上記「特徴量のデータの送信元から送信された特徴量のデータを受信する受信手段」に当たる。
【０１０１】
そして、受信した特徴量のデータと、検出用テーブルとに基づいて、該特徴量のデータに対応するＵＲＬを検索する（Ｓ２１、検出工程）。つまり、受信した特徴量のデータと同一の特徴量が検出用テーブルに記憶されているか否かを検索し、記憶されている場合に、その特徴量に対応するＵＲＬを検出する。なお、受信した特徴量と同一の特徴量のみならず、所定の類似範囲にある特徴量を検出するようにしてもよい。このステップＳ２１の動作は、ＵＲＬ検出プログラム３４ａに基づきＣＰＵ３８により行われる。この場合、ＵＲＬ検出プログラム３４ａとこれに従い動作するＣＰＵ３８は、上記「該記憶テーブルにより、受信した特徴量のデータに対応する特定情報を検出する検出手段」として機能する。
【０１０２】
そして、ＵＲＬの検出が行われた場合、つまり、特徴量に対応するＵＲＬが検出された場合には、そのＵＲＬのデータを携帯電話Ａに送信する（Ｓ２２、Ｓ２３、送信工程）。つまり、通信部３０がＵＲＬのデータを携帯電話Ａに対して送信する。なお、送信の仕方としては、ＵＲＬのデータをそのまま送信してもよいし、電子メールによりＵＲＬのデータを送信する方法（例えば、メール文書中にＵＲＬのデータを含める方法や、ＵＲＬのデータを電子メールに添付する方法等が考えられる）等種々の方法が考えられる。
【０１０３】
なお、ＵＲＬの検出が行われなかった場合、つまり、特徴量に対応するＵＲＬが検出されなかった場合には、検出不能である旨の通知を携帯電話Ａに対して行う。例えば、携帯電話Ａの表示部１２に検出不能である旨の表示を行うようにする。
【０１０４】
なお、ステップＳ２３でＵＲＬのデータを送信する場合や、ステップＳ２４で検出不能を通知する場合には、ステップＳ１２において特徴量のデータを携帯電話Ａから接続支援サーバＢに送信するために接続された回線を、そのまま接続した状態としておき、検出されたＵＲＬのデータを該回線を通じて送信したり、検出不能の通知を行えばよい。なお、特徴量のデータの送信（Ｓ１２）と受信（Ｓ２０）が完了したら回線を切断し、ステップＳ２３でＵＲＬのデータを送信する際や、ステップＳ２４で検出不能を通知する際に、接続支援サーバＢにより携帯電話Ａに対して再び回線を接続するようにしてもよい。その場合には、携帯電話Ａは、特徴量のデータを送信する際に携帯電話Ａの宛先（例えば、電話番号）を送信し、接続支援サーバＢでは、特徴量のデータを受信した際に、携帯電話Ａの宛先のデータを保持しておき、ＵＲＬのデータの送信を行う際に、その宛先に対して回線を接続してＵＲＬのデータを送信したり、検出不能を通知する際に、その宛先に対して回線を接続して通知を行えばよい。
【０１０５】
このステップＳ２３の動作は、通信プログラム（特に、ＵＲＬデータ送信プログラム）３４ｂに基づき、ＣＰＵ３８が通信部３０等を制御することにより行われ、また、ステップＳ２４の動作も、通信プログラム３４ｂに基づき、ＣＰＵ３８が通信部３０等を制御することにより行われる。なお、ステップＳ２３において、ＵＲＬデータ送信プログラムとこれに従い動作するＣＰＵ３８は、上記「該検出手段により検出された特定情報のデータを該送信元に送信する送信手段」として機能する。
【０１０６】
次に、携帯電話Ａでは、ＵＲＬのデータが受信される（Ｓ１３、受信工程）と、受信したＵＲＬにより特定されるＷｅｂサイトに対して接続を行い、Ｗｅｂサイトのコンテンツを表示部１２等に出力する（Ｓ１４、接続工程）。つまり、通信部５により、送信されたＵＲＬのデータが受信され（Ｓ１３）、該ＵＲＬのデータは、データ格納部２０に一時保存される。そして、通信部５は、Ｗｅｂブラウザの機能を有するプログラムにより、該ＵＲＬにより特定されるＷｅｂサーバにアクセスし接続を行う。図１０（ｂ）は、あるＷｅｂサーバに接続して、そのサーバにより運営されるサイトのフロントページが携帯電話Ａの表示部１２に表示されている状態を示すものである。つまり、携帯電話Ａのユーザとしては、文字や図形等を撮影するという操作をするのみで、関連するサイトにアクセスすることができる。
【０１０７】
一方、接続支援サーバＢから検出不能の通知が行われ、携帯電話Ａにより受信される（Ｓ１５）と、その旨が表示部１２に表示され、処理が終了する。
【０１０８】
上記ステップＳ１３、Ｓ１４、Ｓ１５の各動作は、通信プログラム１８ｃに基づき、ＣＰＵ２２が通信部５等を制御することにより行われる。特に、ステップＳ１３の動作は、ＵＲＬデータ受信プログラム等に基づき、ＣＰＵ２２が通信部５等を制御することにより行われ、また、ステップＳ１４の動作は、上記Ｗｅｂサーバ接続プログラムや上記接続指示プログラム等に基づき、ＣＰＵ２２が通信部５等を制御することにより行われる。このステップＳ１３において、ＵＲＬデータ受信プログラムとＣＰＵ２２とは、「サーバコンピュータから送信された該特定情報を受信する受信手段」として機能する。また、ステップＳ１４において、Ｗｅｂサーバ接続プログラムとＣＰＵ２２は、上記「受信手段により受信された特定情報に基づき、所定のＷｅｂサーバに接続する接続手段」として機能する。
【０１０９】
なお、上記ステップＳ２１、Ｓ２２において、複数のＵＲＬが検出された場合には、接続支援サーバＢは、ステップＳ２３でその複数のＵＲＬのデータを携帯電話Ａに送り、携帯電話Ａでは、複数のＵＲＬから所望のＵＲＬを選択するための選択画面を表示させ、ユーザは、その選択画面において、アクセスしたいＵＲＬを選択してそのＵＲＬにより特定されるＷｅｂサーバに接続するようにすればよい。
【０１１０】
以上のように、本実施例の接続システムＰ１によれば、文字や図形を携帯電話Ａにより撮影するのみで、その文字や図形に関連するＷｅｂサイトに接続できるので、面倒な接続操作が必要なく、特に、ＵＲＬが不明な場合でも容易に接続することが可能となる。例えば、ある飲料メーカーのサイトを見たい場合には、その飲料メーカーが販売している商品のロゴマーク等を撮影するのみで、そのサイトにアクセスすることができるので、非常に容易に希望のサイトにアクセスすることができる。また、Ｗｅｂサイトの運営側からすると、サイトへのアクセスが非常に容易となるので、サイトへのアクセス数の増加が期待され、ある商品やサービスの広告を行うサイトの場合には、そのサイトへのアクセス件数が増加することにより、広告効果を高めることが可能となる。
【０１１１】
次に、第２実施例について説明する。第２実施例の接続システムは、上記第１実施例の場合と同様の内容であるが、特徴量の算出についても接続支援サーバＢにおいて行なう点が異なる。
【０１１２】
つまり、本発明の第２実施例に基づく接続システムＰ２は、上記第１実施例とと同様に、図１に示すように、携帯電話Ａと、接続支援サーバＢとを有している。
【０１１３】
そして、携帯電話Ａは、図２に示すように、通信部５と、カメラ１０と、表示部１２と、操作部１４と、記憶部１６と、ＣＰＵ２２等を有しており、各部の構成は、上記第１実施例と同様であるが、記憶部１６におけるプログラム格納部は、図１１（ａ）に示すプログラム格納部１８’に示すように構成され、撮影プログラム１１８ａと、通信プログラム１１８ｂ等が格納されていて、第１実施例とは異なり、特徴量算出プログラムは格納されていない。
【０１１４】
ここで、撮影プログラム１１８ａは、上記第１実施例と同様に、カメラ１０により被写体を撮影するためのプログラムであり、被写体を表示部１２に表示させたり、被写体を撮影して得た画像をデータ格納部２０に格納したりするためのプログラムである。
【０１１５】
また、通信プログラム１１８ｂは、携帯電話Ａにより通信を行うためのプログラムであり、通話、インターネットによる通信等を行うためのプログラムである。この通信プログラム１１８ｂには、特に、撮影した画像に基づき所定のＷｅｂサーバへの接続を行なうモードである画像認識接続モードの場合に実行させるプログラムが格納されていて、例えば、画像認識接続モードの場合に接続支援サーバＢに対して撮影して取り込んだ画像データを送信するプログラムである画像データ送信プログラムや、接続支援サーバＢからＵＲＬのデータが送信された場合にはそのＵＲＬのデータを受信するプログラムであるＵＲＬデータ受信プログラムや、Ｗｅｂサーバに接続を行うためのプログラム（すなわち、Ｗｅｂブラウザの機能を有するプログラム）であるＷｅｂサーバ接続プログラムや、ＵＲＬのデータを接続支援サーバＢから受信した場合に受信したＵＲＬのデータに従いＷｅｂサーバへの接続をＷｅｂサーバ接続プログラムに指示する接続指示プログラム等が含まれている。
【０１１６】
なお、携帯電話であるので、当然携帯電話本来の機能を果たすための各種プログラムは、プログラム格納部１８’に格納されている。
【０１１７】
なお、プログラム格納部１８’に格納されているプログラムは、予め携帯電話Ａの記憶部１６におけるプログラム格納部１８’に記憶しておいてもよいが、既存の携帯電話にダウンロードさせるようにしてもよい。つまり、従来の携帯電話には記憶されていないプログラム、すなわち、上記画像認識接続モードにおいて実行されるプログラム、例えば、上記画像データ送信プログラムや、ＵＲＬデータ受信プログラムや、接続指示プログラム等をダウンロードさせることにより、既存の携帯電話にも適用することが可能となる。この場合に接続支援サーバＢに、ダウンロードさせるプログラムのデータを記憶しておき、携帯電話Ａから送信依頼があった場合には、該プログラムのデータを送信してダウンロードさせる。
【０１１８】
なお、上記画像データ送信プログラムと、ＵＲＬデータ受信プログラムと、接続指示プログラムとは、上記サーバ接続プログラムとして機能する。特に、画像データ送信プログラムは、被写体を撮影して得た画像データを、サーバコンピュータであって、該画像データの特徴量を算出するとともに、該特徴量に対応する特定情報であってＷｅｂサーバを特定するための情報である特定情報を検出するためのサーバコンピュータに送信する送信処理を実行するプログラムであり、ＵＲＬデータ受信プログラムは、サーバコンピュータから送信された該特定情報を受信する受信処理を実行するプログラムであり、接続指示プログラムは、特定情報に基づき、所定のＷｅｂサーバに接続するための処理であって、少なくともＷｅｂブラウザの機能を有するプログラムに該所定のＷｅｂサーバへの接続を指示する処理を実行するプログラムである。
【０１１９】
第２実施例の接続システムＰ２における携帯電話Ａの構成は、上記の点以外は同様であるので、その詳しい説明を省略する。
【０１２０】
また、第２実施例の接続システムＰ２における接続支援サーバＢについても、接続支援サーバＢは、サーバコンピュータであり、通信部３０と、記憶部３２と、ＣＰＵ３８とを有していて、各部の構成は、上記第１実施例と同様であるが、記憶部３２におけるプログラム格納部は、図１１（ｂ）に示すプログラム格納部３４’に示すように構成され、特徴量算出プログラム１３４ａと、ＵＲＬ検出プログラム１３４ｂと、通信プログラム１３４ｃとを有している。
【０１２１】
この特徴量算出プログラム１３４ａは、上記第１実施例における特徴量算出プログラム１８ｂと同様のプログラムであり、画像認識を行って画像の特徴量を算出するためのプログラムである。つまり、携帯電話Ａから送信された画像データにおける文字や図形等を抽出するとともに、抽出した文字や図形の特徴量を算出するためのプログラムである。
【０１２２】
また、ＵＲＬ検出プログラム１３４ｂは、データ格納部３６に格納されたＵＲＬ検出用テーブル（図６参照）に従い、特徴量算出プログラム１３４ａに従い算出された特徴量のデータに基づき、ＵＲＬを検出するためのプログラムである。
【０１２３】
また、通信プログラム１３４ｃは、外部との通信を行うためのプログラムであり、特に、携帯電話Ａから送信された画像のデータを受信し、また、検出されたＵＲＬのデータを携帯電話Ａに送信するためのプログラムである。
【０１２４】
また、本第２実施例の接続支援サーバＢにおけるデータ格納部３６は、各種データを格納するための記憶装置であり、上記第１実施例の場合と同様に、図６に示すような検出用テーブルが格納されている。この検出用テーブルは、特徴量とＵＲＬの対応を示すものである。検出用テーブルの構成は、上記第１実施例の場合と同様であるので、その詳しい説明を省略する。
【０１２５】
第２実施例の接続システムＰ２における接続支援サーバＢの構成は、上記の点以外は同様であるので、その詳しい説明を省略する。
【０１２６】
また、本第２実施例におけるＷｅｂサーバＣの構成も上記第１実施例の場合と同様であるので、詳しい説明を省略する。
【０１２７】
次に、上記構成の接続システムＰ２の動作について図１２等を使用して説明する。まず、携帯電話Ａを操作して、撮影した画像に基づき所定のＷｅｂサーバへの接続を行なうモードである画像認識接続モードに切換え、操作部１４によりカメラ１０を用いて文字や図形を撮影して、画像データを取り込む（Ｓ３０、撮影工程）。つまり、ある文字や図形に関するＷｅｂサイトに接続したい場合に、その文字や図形を被写体として撮影する。例えば、図９（ｂ）に示すように、ロゴマークを撮影して、該ロゴマークの画像データを取り込む。取り込んだ画像を表示部１２に表示した例が図１０（ａ）のようになる。このステップＳ３０の動作は、上記撮影プログラム１８ａに基づきＣＰＵ２２がカメラ１０等を制御することにより行われる。この場合、撮影プログラム１８ａやこれに従い動作するＣＰＵ２２、カメラ１０は、上記「被写体を撮影して画像データを得る撮影手段」として機能する。取り込んだ画像データは、データ格納部２０に保存する。なお、上記の説明では、画像認識接続モードに切り換えた上で撮影をするとしたが、通常の写真撮影の場合と同様に撮影を行って画像を取り込んだ後に、画像認識接続モードに切り換えて次のステップＳ３１に移行するようにしてもよい。その際には、画像の取込みが完了した時点で、画像認識接続モードに切換えを行うか否かの問い合わせを表示部１２に表示する等してユーザに選択させるのが好ましい。
【０１２８】
上記ステップＳ３０の次には、取り込んだ画像データを接続支援サーバＢに送信する（Ｓ３１、送信工程）。つまり、携帯電話Ａからプロバイダのサーバへの回線接続を介して接続支援サーバＢに対して回線を接続し、画像データを接続支援サーバＢに送信する。このステップＳ３１の動作は、上記通信プログラム１１８ｂ（特に、画像データ送信プログラム）に基づきＣＰＵ２２が通信部５等を制御することにより行われる。この場合、画像データ送信プログラムとＣＰＵ２２は、上記「撮影手段により得られた画像データを、サーバコンピュータであって、該画像データの特徴量を算出するとともに、該特徴量に対応する特定情報であってＷｅｂサーバを特定するための情報である特定情報を検出するためのサーバコンピュータに送信する送信手段」として機能する。なお、送信の仕方としては、回線接続後特徴量のデータをそのまま送信してもよいし、電子メールにより画像デーを送信する方法（例えば、画像データを電子メールに添付する方法等が考えられる）等種々の方法が考えられる。
【０１２９】
次に、接続支援サーバＢでは、通信部３０により、送信された画像データが受信され（Ｓ４０、受信工程）、データ格納部３６に一時保存される。このステップＳ４０の動作は、通信プログラム１３４ｃ（特に、画像データ受信プログラム）に基づき、ＣＰＵ３８が通信部３０等を制御することにより行われる。この場合、画像データ受信プログラムやこれに従い動作するＣＰＵ３８、通信部３０は、上記「画像データの送信元から送信された画像データを受信する受信手段」として機能する。
【０１３０】
そして、受信した画像データの画像認識を行ってその画像の特徴量を算出する（Ｓ４１、特徴量算出工程）。すなわち、撮影して得た画像における文字や図形等を抽出するとともに、抽出した文字や図形の特徴量を算出する。このステップＳ４１の動作は、上記特徴量算出プログラム１３４ａに基づきＣＰＵ３８が演算を行って算出する。この場合、特徴量算出プログラム１３４ａとこれに従い動作するＣＰＵ３８は、上記「受信手段により受信した画像データの特徴量を算出する特徴量算出手段」として機能する。なお、特徴量の算出ができない場合には、その旨を表示して処理を終了する。
【０１３１】
特徴量の算出が行われたら、算出された特徴量のデータと、検出用テーブルとに基づいて、該特徴量のデータに対応するＵＲＬを検索する（Ｓ４２、検出工程）。つまり、算出された特徴量のデータと同一の特徴量が検出用テーブルに記憶されているか否かを検索し、記憶されている場合に、その特徴量に対応するＵＲＬを検出する。なお、受信した特徴量と同一の特徴量のみならず、所定の類似範囲にある特徴量を検出するようにしてもよい。このステップＳ４２の動作は、ＵＲＬ検出プログラム１３４ｂに基づきＣＰＵ３８により行われる。この場合、ＵＲＬ検出プログラム１３４ｂとこれに従い動作するＣＰＵ３８は、上記「該記憶テーブルにより、該特徴量算出手段により算出された特徴量のデータに対応する特定情報を検出する検出手段」として機能する。
【０１３２】
そして、ＵＲＬの検出が行われた場合、つまり、特徴量に対応するＵＲＬが検出された場合には、そのＵＲＬのデータを携帯電話Ａに送信する（Ｓ４３、Ｓ４４、送信工程）。つまり、通信部３０がＵＲＬのデータを携帯電話Ａに対して送信する。なお、送信の仕方としては、ＵＲＬのデータをそのまま送信してもよいし、電子メールによりＵＲＬのデータを送信する方法（例えば、メール文書中にＵＲＬのデータを含める方法や、ＵＲＬのデータを電子メールに添付する方法等が考えられる）等種々の方法が考えられる。
【０１３３】
なお、ＵＲＬの検出が行われなかった場合、つまり、特徴量に対応するＵＲＬが検出されなかった場合には、検出不能である旨の通知を携帯電話Ａに対して行う。例えば、携帯電話Ａの表示部１２に検出不能である旨の表示を行うようにする。
【０１３４】
なお、ステップＳ４４でＵＲＬのデータを送信する場合や、ステップＳ４５で検出不能を通知する場合には、ステップＳ３１において画像データを携帯電話Ａから接続支援サーバＢに送信するために接続された回線を、そのまま接続した状態としておき、検出されたＵＲＬのデータを該回線を通じて送信したり、検出不能の通知を行えばよい。なお、画像データの送信（Ｓ３１）と受信（Ｓ４０）が完了したら回線を切断し、ステップＳ４４でＵＲＬのデータを送信する際や、ステップＳ４５で検出不能を通知する際に、接続支援サーバＢにより携帯電話Ａに対して再び回線を接続するようにしてもよい。その場合には、携帯電話Ａは、画像データを送信する際に携帯電話Ａの宛先（例えば、電話番号）を送信し、接続支援サーバＢでは、画像データを受信した際に、携帯電話Ａの宛先のデータを保持しておき、ＵＲＬのデータの送信を行う際に、その宛先に対して回線を接続してＵＲＬのデータを送信したり、検出不能を通知する際に、その宛先に対して回線を接続して通知を行えばよい。
【０１３５】
このステップＳ４４の動作は、通信プログラム１３４ｃ（特に、ＵＲＬデータ送信プログラム）に基づき、ＣＰＵ３８が通信部３０等を制御することにより行われ、また、ステップＳ４５の動作も、通信プログラム１３４ｃに基づき、ＣＰＵ３８が通信部３０等を制御することにより行われる。なお、ステップＳ４４において、ＵＲＬデータ送信プログラムとこれに従い動作するＣＰＵ３８は、上記「該検出手段により検出された特定情報のデータを該送信元に送信する送信手段」として機能する。
【０１３６】
次に、携帯電話Ａでは、ＵＲＬのデータが受信される（Ｓ３２、受信工程）と、受信したＵＲＬにより特定されるＷｅｂサイトに対して接続を行い、Ｗｅｂサイトのコンテンツを表示部１２等に出力する（Ｓ３３、接続工程）。つまり、通信部５により、送信されたＵＲＬのデータが受信され（Ｓ３２）、該ＵＲＬのデータは、データ格納部２０に一時保存される。そして、通信部５は、Ｗｅｂブラウザの機能を有するプログラムにより、該ＵＲＬにより特定されるＷｅｂサーバにアクセスし接続を行う。図１０（ｂ）は、あるＷｅｂサーバに接続して、そのサーバにより運営されるサイトのフロントページが携帯電話Ａの表示部１２に表示されている状態を示すものである。つまり、携帯電話Ａのユーザとしては、文字や図形等を撮影するという操作をするのみで、関連するサイトにアクセスすることができる。
【０１３７】
一方、接続支援サーバＢから検出不能の通知が行われ、携帯電話Ａにより受信される（Ｓ３４）と、その旨が表示部１２に表示され、処理が終了する。
【０１３８】
上記ステップＳ３２、Ｓ３３、Ｓ３４の各動作は、通信プログラム１１８ｂに基づき、ＣＰＵ２２が通信部５等を制御することにより行われる。特に、ステップＳ３２の動作は、ＵＲＬデータ受信プログラム等に基づき、ＣＰＵ２２が通信部５等を制御することにより行われ、また、ステップＳ３３の動作は、上記Ｗｅｂサーバ接続プログラムや上記接続指示プログラム等に基づき、ＣＰＵ２２が通信部５等を制御することにより行われる。このステップＳ３２において、ＵＲＬデータ受信プログラムとＣＰＵ２２とは、「サーバコンピュータから送信された該特定情報を受信する受信手段」として機能する。また、ステップＳ３３において、Ｗｅｂサーバ接続プログラムとＣＰＵ２２は、上記「受信手段により受信された特定情報に基づき、所定のＷｅｂサーバに接続する接続手段」として機能する。
【０１３９】
なお、上記ステップＳ４２、Ｓ４３において、複数のＵＲＬが検出された場合には、接続支援サーバＢは、ステップＳ４４でその複数のＵＲＬのデータを携帯電話Ａに送り、携帯電話Ａでは、複数のＵＲＬから所望のＵＲＬを選択するための選択画面を表示させ、ユーザは、その選択画面において、アクセスしたいＵＲＬを選択してそのＵＲＬにより特定されるＷｅｂサーバに接続するようにすればよい。
【０１４０】
以上のように、本実施例の接続システムＰ２によれば、文字や図形を携帯電話Ａにより撮影するのみで、その文字や図形に関連するＷｅｂサイトに接続できるので、面倒な接続操作が必要なく、特に、ＵＲＬが不明な場合でも容易に接続することが可能となる。例えば、ある飲料メーカーのサイトを見たい場合には、その飲料メーカーが販売している商品のロゴマーク等を撮影するのみで、そのサイトにアクセスすることができるので、非常に容易に希望のサイトにアクセスすることができる。また、Ｗｅｂサイトの運営側からすると、サイトへのアクセスが非常に容易となるので、サイトへのアクセス数の増加が期待され、ある商品やサービスの広告を行うサイトの場合には、そのサイトへのアクセス件数が増加することにより、広告効果を高めることが可能となる。
【０１４１】
次に、第３実施例について説明する。第３実施例は、上記第１実施例、第２実施例とは異なり、携帯電話ＡのみによってＷｅｂサーバへの接続を行う点が異なる。つまり、この第３実施例においては、接続支援サーバＢは用いない。
【０１４２】
本実施例における携帯電話Ａは、図２に示すように、通信部５と、カメラ１０と、表示部１２と、操作部１４と、記憶部１６と、ＣＰＵ２２等を有しており、各部の構成は、上記第１実施例と同様であるが、記憶部１６におけるプログラム格納部は、図１３に示すプログラム格納部１８’’に示すように構成され、撮影プログラム２１８ａと、特徴量算出プログラム２１８ｂと、ＵＲＬ検出プログラム２１８ｃと、通信プログラム２１８ｄ等が格納されている。
【０１４３】
ここで、撮影プログラム２１８ａは、上記第１実施例と同様に、カメラ１０により被写体を撮影するためのプログラムであり、被写体を表示部１２に表示させたり、被写体を撮影して得た画像をデータ格納部２０に格納したりするためのプログラムである。
【０１４４】
この特徴量算出プログラム２１８ｂは、上記第１実施例における特徴量算出プログラム１８ｂと同様のプログラムであり、画像認識を行って画像の特徴量を算出するためのプログラムである。つまり、撮影して得た画像における文字や図形等を抽出するとともに、抽出した文字や図形の特徴量を算出するためのプログラムである。
【０１４５】
また、ＵＲＬ検出プログラム２１８ｃは、データ格納部３６に格納されたＵＲＬ検出用テーブル（図６参照）に従い、特徴量算出プログラム２１８ｂに従い算出された特徴量のデータに基づき、ＵＲＬを検出するためのプログラムである。
【０１４６】
また、通信プログラム２１８ｄは、携帯電話Ａにより通信を行うためのプログラムであり、通話、インターネットによる通信等を行うためのプログラムである。この通信プログラム２１８ｄには、特に、撮影した画像に基づき所定のＷｅｂサーバへの接続を行なうモードである画像認識接続モードの場合に実行させるプログラムが格納されていて、例えば、Ｗｅｂサーバに接続を行うためのプログラム（すなわち、Ｗｅｂブラウザの機能を有するプログラム）であるＷｅｂサーバ接続プログラムや、ＵＲＬが検出された場合にそのＵＲＬのデータに従いＷｅｂサーバへの接続をＷｅｂサーバ接続プログラムに指示する接続指示プログラム等が含まれている。
【０１４７】
なお、携帯電話であるので、当然携帯電話本来の機能を果たすための各種プログラムは、プログラム格納部１８’’に格納されている。
【０１４８】
また、本第３実施例の携帯電話Ａにおけるデータ格納部２０は、各種データを格納するための記憶装置であり、図６に示すような検出用テーブルが格納されている。つまり、この第３実施例においては、検出用テーブルは、携帯電話Ａに設けられている。この検出用テーブルは、特徴量とＵＲＬの対応を示すものである。検出用テーブルの構成は、上記第１実施例の場合と同様であるので、その詳しい説明を省略する。
【０１４９】
なお、プログラム格納部１８’’に格納されているプログラムや、データ格納部２０に格納されている検出用テーブルは、予め携帯電話Ａの記憶部１６におけるプログラム格納部１８’’やデータ格納部２０に記憶しておいてもよいが、既存の携帯電話にダウンロードさせるようにしてもよい。つまり、従来の携帯電話には記憶されていないプログラム、すなわち、上記画像認識接続モードにおいて実行されるプログラム、例えば、上記特徴量算出プログラムや、ＵＲＬ検出プログラムや、接続指示プログラム等や、検出用テーブルのデータをダウンロードさせることにより、既存の携帯電話にも適用することが可能となる。
【０１５０】
第３実施例の携帯電話Ａの構成は、上記の点以外は同様であるので、その詳しい説明を省略する。
【０１５１】
なお、上記特徴量算出プログラムと、ＵＲＬ検出プログラムと、接続指示プログラムとは、上記サーバ接続プログラムとして機能する。特に、特徴量算出プログラムは、被写体を撮影して得た画像データの特徴量を算出する特徴量算出処理を実行するプログラムであり、ＵＲＬ検出プログラムは、画像の特徴量と、該特徴量に対応する特定情報であってＷｅｂサーバを特定するための情報である特定情報とを記憶する記憶テーブルにより、該特徴量算出処理により算出された特徴量のデータに対応する特定情報を検出する検出処理を実行するプログラムであり、接続指示プログラムは、特定情報に基づき、所定のＷｅｂサーバに接続するための処理であって、少なくともＷｅｂブラウザの機能を有するプログラムに該所定のＷｅｂサーバへの接続を指示する処理を実行するプログラムである。
【０１５２】
次に、本第３実施例の携帯電話Ａの動作について図１４等を使用して説明する。まず、携帯電話Ａを操作して、撮影した画像に基づき所定のＷｅｂサーバへの接続を行なうモードである画像認識接続モードに切換え、操作部１４によりカメラ１０を用いて文字や図形を撮影して、画像データを取り込む（Ｓ５０、撮影工程）。つまり、ある文字や図形に関するＷｅｂサイトに接続したい場合に、その文字や図形を被写体として撮影する。例えば、図９（ｂ）に示すように、ロゴマークを撮影して、該ロゴマークの画像データを取り込む。取り込んだ画像を表示部１２に表示した例が図１０（ａ）のようになる。このステップＳ５０の動作は、上記撮影プログラム２１８ａに基づきＣＰＵ２２がカメラ１０等を制御することにより行われる。この場合、撮影プログラム２１８ａやこれに従い動作するＣＰＵ２２、カメラ１０は、上記「被写体を撮影して画像データを得る撮影手段」として機能する。取り込んだ画像データは、データ格納部２０に保存する。なお、上記の説明では、画像認識接続モードに切り換えた上で撮影をするとしたが、通常の写真撮影の場合と同様に撮影を行って画像を取り込んだ後に、画像認識接続モードに切り換えて次のステップＳ５１に移行するようにしてもよい。その際には、画像の取込みが完了した時点で、画像認識接続モードに切換えを行うか否かの問い合わせを表示部１２に表示する等してユーザに選択させるのが好ましい。
【０１５３】
上記ステップＳ５０の次には、画像データの画像認識を行ってその画像の特徴量を算出する（Ｓ５１、特徴量算出工程）。すなわち、撮影して得た画像における文字や図形等を抽出するとともに、抽出した文字や図形の特徴量を算出する。このステップＳ５１の動作は、上記特徴量算出プログラム２１８ｂに基づきＣＰＵ２２が演算を行って算出する。この場合、特徴量算出プログラム２１８ｂとＣＰＵ２２は、上記「撮影手段により得られた画像データの特徴量を算出する特徴量算出手段」として機能する。なお、特徴量の算出ができない場合には、その旨を表示して処理を終了する。
【０１５４】
特徴量の算出が行われたら、算出された特徴量のデータと、検出用テーブルとに基づいて、該特徴量のデータに対応するＵＲＬを検索する（Ｓ５２、検出工程）。つまり、算出された特徴量のデータと同一の特徴量が検出用テーブルに記憶されているか否かを検索し、記憶されている場合に、その特徴量に対応するＵＲＬを検出する。なお、受信した特徴量と同一の特徴量のみならず、所定の類似範囲にある特徴量を検出するようにしてもよい。このステップＳ５２の動作は、ＵＲＬ検出プログラム２１８ｃに基づきＣＰＵ２２により行われる。この場合、ＵＲＬ検出プログラム２１８ｃとＣＰＵ２２は、「記憶テーブルにより、該特徴量算出手段により算出された特徴量のデータに対応する特定情報を検出する検出手段」として機能する。
【０１５５】
そして、ＵＲＬの検出が行われた場合、つまり、特徴量に対応するＵＲＬが検出された場合には、該ＵＲＬにより特定されるＷｅｂサイトに対して接続を行い、Ｗｅｂサイトのコンテンツを表示部１２等に出力する（Ｓ５３、Ｓ５４、接続工程）。つまり、通信部５は、Ｗｅｂブラウザの機能を有するプログラムにより、該ＵＲＬにより特定されるＷｅｂサーバにアクセスし接続を行う。図１０（ｂ）は、あるＷｅｂサーバに接続して、そのサーバにより運営されるサイトのフロントページが携帯電話Ａの表示部１２に表示されている状態を示すものである。つまり、携帯電話Ａのユーザとしては、文字や図形等を撮影するという操作をするのみで、関連するサイトにアクセスすることができる。一方、ステップＳ５３においてＵＲＬが検出できなった場合には、処理を終了する。ステップＳ５４の動作は、上記Ｗｅｂサーバ接続プログラムや上記接続指示プログラム等に基づき、ＣＰＵ２２が通信部５等を制御することにより行われる。このステップＳ５４において、Ｗｅｂサーバ接続プログラムとＣＰＵ２２は、上記「検出手段により検出された特定情報に基づき、所定のＷｅｂサーバに接続する接続手段」として機能する。
【０１５６】
なお、上記ステップＳ５２、Ｓ５３において、複数のＵＲＬが検出された場合には、携帯電話Ａは複数のＵＲＬから所望のＵＲＬを選択するための選択画面を表示させ、ユーザは、その選択画面において、アクセスしたいＵＲＬを選択してそのＵＲＬにより特定されるＷｅｂサーバに接続するようにすればよい。
【０１５７】
以上のように、本実施例の携帯電話Ａによれば、文字や図形を携帯電話Ａにより撮影するのみで、その文字や図形に関連するＷｅｂサイトに接続できるので、面倒な接続操作が必要なく、特に、ＵＲＬが不明な場合でも容易に接続することが可能となる。例えば、ある飲料メーカーのサイトを見たい場合には、その飲料メーカーが販売している商品のロゴマーク等を撮影するのみで、そのサイトにアクセスすることができるので、非常に容易に希望のサイトにアクセスすることができる。また、Ｗｅｂサイトの運営側からすると、サイトへのアクセスが非常に容易となるので、サイトへのアクセス数の増加が期待され、ある商品やサービスの広告を行うサイトの場合には、そのサイトへのアクセス件数が増加することにより、広告効果を高めることが可能となる。
【０１５８】
なお、上記各実施例の説明において、各種データを一時保存するとして説明した部分については、一時保存の処理を省略してもよい。
【０１５９】
なお、上記の説明においては、携帯電話を例に取って説明したが、携帯電話以外の携帯端末でもよく、また、携帯端末以外の端末装置でもよい。また、上記各実施例では、携帯電話、すなわち、無線通信機能を有する機器を例に取って説明したが、電気通信回線網に有線で接続されている機器であってもよい。例えば、上記パーソナルコンピュータに、図２におけるカメラ１０、表示部１２、操作部１４、記憶部１６、ＣＰＵ２２の機能を持たせたものでもよい。
【０１６０】
【発明の効果】
本発明に基づくサーバコンピュータ、携帯電話装置、サーバ接続システム、サーバ接続支援方法、サーバ接続方法等によれば、携帯電話装置等の端末装置において、文字や図形等を撮影するのみでその文字や図形に関連するＷｅｂサイトにアクセスすることが可能となり、非常に容易に希望のサイトにアクセスすることができる。また、Ｗｅｂサイトの運営側からすると、サイトへのアクセスが非常に容易となるので、サイトへのアクセス数の増加が期待され、ある商品やサービスの広告を行うサイトの場合には、そのサイトへのアクセス件数が増加することにより、広告効果を高めることが可能となる。
【図面の簡単な説明】
【図１】本発明の実施例に基づく接続システムの構成を示すブロック図である。
【図２】本発明の実施例に基づく携帯電話の構成を示すブロック図である。
【図３】第１実施例における携帯電話におけるプログラム格納部の構成を示す説明図である。
【図４】本発明の実施例に基づく接続支援サーバの構成を示すブロック図である。
【図５】第１実施例における接続支援サーバにおけるプログラム格納部の構成を示す説明図である。
【図６】ＵＲＬ検出用テーブルの構成を示す説明図である。
【図７】ＵＲＬ検出用テーブルの構成を説明するための説明図である。
【図８】第１実施例における接続システムの動作を説明するフローチャートである。
【図９】本発明の第１実施例及び第２実施例に基づく接続システム及び第３実施例に基づく携帯電話の使用状態を示す図である。
【図１０】本発明の第１実施例及び第２実施例に基づく接続システム及び第３実施例に基づく携帯電話の使用状態を示す図である。
【図１１】第２実施例におけるプログラム格納部の構成を示す図であり、（ａ）は第２実施例の携帯電話におけるプログラム格納部の構成を示す説明図であり、（ｂ）は第２実施例の接続支援サーバにおけるプログラム格納部の構成を示す説明図である。
【図１２】第２実施例における接続システムの動作を説明するフローチャートである。
【図１３】第３実施例の携帯電話におけるプログラム格納部の構成を示す説明図である。
【図１４】第３実施例における携帯電話の動作を説明するフローチャートである。
【符号の説明】
Ｐ１、Ｐ２  接続システム
Ａ  携帯電話
Ｂ  接続支援サーバ
Ｃ  Ｗｅｂサーバ
５、３０  通信部
１０  カメラ
１２  表示部
１４  操作部
１６、３２  記憶部
１８、１８’、１８’’、３４、３４’  プログラム格納部
１８ａ、１１８ａ、２１８ａ  撮影プログラム
１８ｂ、１３４ａ、２１８ｂ  特徴量算出プログラム
１８ｃ、３４ｂ、１１８ｂ、１３４ｃ、２１８ｄ  通信プログラム
２０、３６  データ格納部
２２、３８  ＣＰＵ
３４ａ、１３４ｂ、２１８ｃ  ＵＲＬ検出プログラム
【図１】
2004227258.tif 000003
【図２】
2004227258.tif 000004
【図３】
2004227258.tif 000005
【図４】
2004227258.tif 000006
【図５】
2004227258.tif 000007
【図６】
2004227258.tif 000008
【図７】
2004227258.tif 000009
【図８】
2004227258.tif 000010
【図９】
2004227258.tif 000011
【図１０】
2004227258.tif 000012
【図１１】
2004227258.tif 000013
【図１２】
2004227258.tif 000014
【図１３】
2004227258.tif 000015
【図１４】
2004227258.tif 000016